(57)【要約】  移動無線装置はメディアプレーヤを内蔵しており、メディアプレーヤとサードパーティ・アプリケーションとを統合することで前記メディアプレーヤの機能が拡張されており、サードパーティ・アプリケーションは無制限の音楽サブスクリプション・サービスを支える。従って、本発明は、ミュージックステーションメディアプレーヤのような、無制限の音楽サブスクリプション・サービスへのアクセスを提供できるサードパーティアプリケーションを、内蔵されたメディアプレーヤと一体化させることが移動無線装置において可能であるという見識に基づくものである。該装置は、内蔵のメディアプレーヤの機能が拡張されたように作用するが、内蔵されたメディアプレーヤが無制限の音楽サブスクリプション・サービスを提供できるようにメディアプレーヤプログラムを書きなおすために必要な大規模な改造を必要としない。【選択図】  図１
2011525992.tif 000002
【特許請求の範囲】
【請求項１】
メディアプレーヤが内蔵された移動無線装置であって、前記メディアプレーヤとサードパーティ・アプリケーションとを統合することで前記メディアプレーヤの機能が拡張されており、前記サードパーティ・アプリケーションは無制限の音楽サブスクリプション・サービスの対応を提供することで前記内蔵されたメディアプレーヤの機能を拡張することを特徴とする、移動無線装置。
【請求項２】
前記サードパーティ・アプリケーション及び前記内蔵されたメディアプレーヤは、ユーザに１つのアプリケーションとして現れるようにお互いにシームレスに統合されていることを特徴とする、請求項１に記載の装置。
【請求項３】
前記サードパーティ・アプリケーションは前記内蔵されたメディアプレーヤのサードパーティ・アプリケーションのユーザインタフェースをまねることを特徴とする、請求項１又は２に記載の装置。
【請求項４】
前記サードパーティ・アプリケーションは、前記内蔵されたメディアプレーヤのユーザインタフェースと異なるユーザインタフェースを表示しないことを特徴とする、請求項１乃至３のいずれか１項に記載の装置。
【請求項５】
前記サードパーティ・アプリケーションは、無制限のメディア閲覧、無制限のメディアダウンロード、他のユーザとのプレーリスト共有、他のユーザとの曲共有、及び友達のネットワークを作ることを可能とする前記ユーザを表すプロファイルの登録の中から１つ以上を提供することを特徴とする、請求項１乃至４のいずれか１項に記載の装置。
【請求項６】
前記サードパーティ・アプリケーションはＪ２ＭＥプラグインであり、前記内蔵されたメディアプレーヤは、前記サードパーティ・アプリケーションとのシームレス統合を可能とするフックを含み、それによって前記サードパーティ・アプリケーションとの統合のために前記内蔵されたメディアプレーヤのコードに実質的な変更を必要としないことを特徴とする、請求項１乃至５のいずれか１項に記載の装置。
【請求項７】
前記サードパーティ・アプリケーションは製造者によって署名されており、それによって署名されていないサードパーティ・アプリケーションより早く認識され、より早く安定した動作を持つことを特徴とする、請求項１乃至６のいずれか１項に記載の装置。
【請求項８】
前記サードパーティ・アプリケーションは、特定の移動無線装置のために自動的にカスタマイズされていることを特徴とする、請求項１乃至７のいずれか１項に記載の装置。
【請求項９】
前記内蔵されたメディアプレーヤの音楽に関連するメインメニューは、選択されると前記サードパーティ・アプリケーションを開くアイテムを含むことを特徴とする、請求項１乃至８のいずれか１項に記載の装置。
【請求項１０】
前記アイテムを選択するとメニューリストが表示されるようになり、前記メニューリストは、検索機能、ニュース、発見／閲覧機能、友達／コミュニティ機能、ダウンロード機能の１つ以上に実質的に対応するアイテムを含むことを特徴とする、請求項９に記載の装置。
【請求項１１】
前記サードパーティ・アプリケーションはＤＲＭのように測定に対応し、無制限のサブスクリプション・サービスの使用を可能とする制御機構を提供することを特徴とする、請求項１乃至１０のいずれか１項に記載の装置。
【請求項１２】
楽曲の前記ダウンロードは測定されなく、請求システムに送信されないことを特徴とする、請求項１乃至１１のいずれか１項に記載の装置。
【請求項１３】
前記サードパーティ・アプリケーションは前記ユーザの電話または前記装置に保存されたアドレス帳と通信し、それによって楽曲の傾聴及び／又はダウンロードの招待を送ることを可能にすることを特徴とする、請求項１乃至１２のいずれか１項に記載の装置。
【請求項１４】
前記サードパーティ・アプリケーションは、ネットワークを効果的に利用するための、メディア資産及びデジタルコンテンツの待ち行列をダウンロードするダウンロードの待ち行列機構を提供することを特徴とする、請求項１乃至１３のいずれか１項に記載の装置。
【請求項１５】
前記装置は１つ以上のプレーリストを、その後の１人以上の他のユーザによる検索のために１つ以上の遠隔サーバに送信することを特徴とする、請求項１乃至１４のいずれか１項に記載の装置。
【請求項１６】
１つまたは複数のプレーリストは、統計的情報、再生の評価指標、メディア推薦エンジン、メディアチャートの説明情報、または如何なる他の情報の中の１つ以上を用いて自動的に生成されることを特徴とする、請求項１乃至１５のいずれか１項に記載の装置。
【請求項１７】
１つのプレーリストは移動無線装置において受信され、前記プレーリストに特定されたメディアファイルのダウンロードを自動的に引き起こすために使われることを特徴とする、請求項１乃至１６のいずれか１項に記載の装置。
【請求項１８】
前記プレーリストに特定された前記メディアファイルは、１つ以上の遠隔サーバから、前記プレーリストを受信した前記移動無線装置に転送されることを特徴とする、請求項１７に記載の装置。
【請求項１９】
前記サードパーティ・アプリケーションは、音楽、音、イメージ、ビデオの中の１つ以上に対応することを特徴とする、請求項１乃至１８のいずれか１項に記載の装置。
【請求項２０】
前記サードパーティ・アプリケーションは製造者によって署名されており、より多くの安全アクセスが提供され、署名がなければ不可能であるか又はユーザ許可が必要な機能及び機構を実行及びアクセスできることを特徴とする、請求項１乃至１９のいずれか１項に記載の装置。
【請求項２１】
前記サードパーティ・アプリケーションはＪ２ＭＥであり、又は前記装置が対応できる他のプログラム言語であり、プラグイン及び前記内蔵されたメディアプレーヤは、前記サードパーティ・アプリケーションとのシームレスな統合を可能とするフックを含み、それによって前記サードパーティ・アプリケーションとの統合のために前記内蔵されたメディアプレーヤのコードに実質的な変更を必要としないことを特徴とする、請求項１乃至２０のいずれか１項に記載の装置。
【請求項２２】
前記サードパーティ・アプリケーションは前記ユーザの電話または前記装置に保存されたアドレス帳データと、又は前記サーバに保存された前記友達及び連絡先（これらのキャッシュはアプリケーションの中にある）と通信し、楽曲の傾聴及び／又はダウンロードの招待を送ることを可能にすることを特徴とする、請求項１乃至２１のいずれか１項に記載の装置
【発明の詳細な説明】
【技術分野】
【０００１】
本発明は内蔵されたメディアプレーヤを持つ移動無線装置に関する。「移動無線装置」とは、片方向又は両方向の無線通信機能を持つ如何なる携帯用の移動装置であり、携帯電話、スマートフォーン、通信機、及び類似の用途に用いられる装置を非限定的に含む。「移動無線装置」は如何なる無線ネットワーク（例：ＧＳＭ，ＵＭＴＳ，ＣＤＭＡ，ＷＣＤＭＡ移動無線、ブルートゥース、ＩｒＤＡなど）において如何なる方式でも通信できる装置を含む。「メディアプレーヤ」とは、装置にデジタル音楽、画像、動画及び他のメディアを保存、整理、そして再生できるようにするアプリケーションである。メディアプレーヤが移動無線装置に最初から入っている（即ち、装置の製造者によって装置に導入又はデザインされる）場合は、そのメディアプレーヤは「内蔵」されているという。
【背景技術】
【０００２】
ＭＰ３形式の形態消費家電製品やアップルのｉＰｏｄのようなデジタルオーディオプレーヤは非常に人気が高い。しかし、このような装置の現世代は無線接続機能がない。それは、これらの装置には新たな音楽を閲覧又は発見し、それらの曲を直接プレーヤにダウンロードできるメカニズムがないことを意味する。
【０００３】
代わりに、曲は典型的にＣＤからデスクトップコンピュータにコピーされ、又はアップルのｉＴｕｎｅｓ（登録商標）のようなオンラインミュージックストアから購入される。デジタルオーディオプレーヤはデスクトップコンピュータにケーブルを介して接続され、それから曲がコンピュータからデジタルオオーディオプレーヤにダウンロードされる。
【０００４】
このモデルの欠点に関しては、長年にわたって指摘があった。ユーザからの観点では、より広い無線ネットワーク（例えば３Ｇ）において曲を直接ダウンロードできればより使いやすくなる。したがって、携帯電話はデジタルオーディオプレーヤとして自然に使用できる装置として多くの人に考えられた。また、長年にわたってほぼ全ての携帯電話はデジタル音楽を保存、整理そして再生できるメディアプレーヤを何らかの形で備えていた。しかし、これらの装置にデジタル曲を移すプロセスは不便で遅いものであった。典型的にはデスクトップコンピュータが携帯電話を認識し通信できるように特別なソフトウェアをコンピュータにダウンロードし、コンピュータから携帯電話にＵＳＢケーブルを用いて音楽ファイルを転送できるようにする特別なソフトウェアをインストールする必要がある。ソフトウェアがインストールされるとユーザはパソコンから携帯電話に曲を転送できる。
【０００５】
携帯電話はモデルによって必要条件が異なる。ネットワークオペレータも夫々異なる条件を必要とし得る。このように、とても複雑で煩わしい状況であり、曲を携帯電話に移すための簡単で評判のいいメカニズムはまだ存在しない。
【０００６】
この問題を解決するために最近行われたものとしては、Ｏｍｎｉｆｏｎｅ（有）のＭｕｓｉｃＳｔａｔｉｏｎｆｊがある。ＭｕｓｉｃＳｔａｔｉｏｎメディアプレーヤは、幅広いモデルの携帯電話にインストールされ、作動できる。そして、遠隔サーバに保存された７百万曲のライブラリを閲覧でき、曲を携帯電話に直接無線でダウンロードできるようになる。高度なＤＲＭにより、ＭｕｓｉｃＳｔａｔｉｏｎメディアプレーヤは「Ａｌｌ  Ｙｏｕ  Ｃａｎ  Ｅａｔ」と呼ばれる無制限音楽サブスクリプションサービスを提供できる。ユーザは月々の定額料金又は最初の購入価格の一部で、好きなだけ音楽をダウンロードできる。ダウンロードした曲は電話において整理及び管理できる。より詳しくは、引用によって本出願に組み込まれるＷＯ２００７／１２９０８１を参照。
【０００７】
同様に引用によって組み込まれるＷＯ２００６／０６１５９５も参照される。この文献はＭｕｓｉｃＳｔａｔｉｏｎメディアプレーヤが所定の携帯電話において最適に作動するように、該携帯電話の性能や機能を考慮して自動的に適応する機構を記載している。
【発明の概要】
【発明が解決しようとする課題】
【０００８】
ほぼ全ての携帯電話は、予めインストールされている内蔵されたメディアプレーヤを持っており、この内蔵されたメディアプレーヤとともにＭｕｓｉｃＳｔａｔｉｏｎの適切なバージョンのメディアプレーヤが通常インストールされる。このような携帯電話には、接続されたパソコンからアップロードされた曲の保存、再生及び整理に限定された、内蔵の元プレーヤと、無線で無制限の曲のダウンロードできる機能を含むより多くの機能を提供するＭｕｓｉｃＳｔａｔｉｏｎメディアプレーヤとの２つの異なるメディアプレーヤが存在する。しかし、２つのメディアプレーヤがあり、夫々異なる順序で操作され異なる機能を提供するため、消費者を混乱させ得る。また、装置メモリの非効率的な使用であり得る。
【課題を解決するための手段】
【０００９】
本発明では、移動無線装置はその中に内蔵されたメディアプレーヤを含んでおり、該メディアプレーヤの機能は、サードパーティ・アプリケーションを該メディアプレーヤと統合させることで拡張されており、該サードパーティ・アプリケーションは無制限の音楽サブスクリプション・サービスを提供することで該内蔵されたメディアプレーヤの性能を拡張させる。
【００１０】
したがって、本発明は、ＭｕｓｉｃＳｔａｔｉｏｎメディアプレーヤのような無制限の音楽サブスクリプションのアクセスを提供できるサードパーティ・アプリケーションが、携帯電話に内蔵されたメディアプレーヤと統合できるという洞察に基づくものである。該装置は、メディアプレーヤ自体が無制限の音楽サブスクリプション・サービスを提供できるようにメディアプレーヤの機能を拡張させたように作動するが、内蔵されたメディアプレーヤのプログラムを書きなおすために必要な大規模な改造を必要としない。
【００１１】
上記のものはコミュニティ、アラカルト音楽、サブスクリプション・ベースの音楽、及び他のメディア種類のアラカルト及びサブスクリプション・ベースのアクセスのために拡張され得る。
【００１２】
好ましい実施の特徴は次のようなものを含む：
サードパーティ・アプリケーション及び内蔵されたメディアプレーヤがお互いにシームレスに統合され、これらはユーザにとっては１つのアプリケーションとして認識される。例えば、サードパーティ・アプリケーションは内蔵されたメディアプレーヤのサードパーティ・アプリケーションのユーザインタフェース（ＵＩ）をまねることができる。つまり、内蔵されたメディアプレーヤのＵＩと異なるＵＩを表示しない。サードパーティ・アプリケーションは、無制限のメディア閲覧、無制限のメディアダウンロード、他のユーザとのプレーリスト共有、他のユーザとの曲共有、及び友達のネットワークを作るためにユーザを表すプロファイルの登録の中から１つ以上を提供する。したがって、該装置はこれらの高度な機能を提供するように素早く強化でき、これらの機能を提供できるように内蔵されたメディアプレーヤを再設計することを必要としない。
【００１３】
該サードパーティ・アプリケーションはＪ２ＭＥプラグイン又は携帯電話で支持されるソフトウェア言語であり、前記内蔵されたメディアプレーヤは、前記サードパーティ・アプリケーションとのシームレス統合を可能とするフックを含み、それによって前記サードパーティ・アプリケーションとの統合のために前記内蔵されたメディアプレーヤのコードに実質的な変更を必要としない。
【００１４】
また、サードパーティ・アプリケーションは製造者によって“署名”されており、それによって署名されていないサードパーティ・アプリケーションより早く認識され、そのオペレーティング・システムは署名されていないサードパーティ・アプリケーションより早くて安定した動作を持ち、ユーザによる許可を必要としない動作を可能とする。
【００１５】
該サードパーティ・アプリケーションは、特定の移動無線装置のために実質的に自動的にカスタマイズされている。これは、引用によって組み込まれたＷＯ２００６／０６１５９５に記載された技術によって行われ得る。
【００１６】
内蔵されたメディアプレーヤの音楽に関するメインメニューは、選択されると該サードパーティ・アプリケーションを開く項目を含む。該項目を選択するとメニューリストが表示されるようになり、前記メニューリストは、検索機能、ニュース、発見／閲覧機能、友達／コミュニティ機能、ダウンロード機能の１つ以上に実質的に対応する項目を含む。
【００１７】
該サードパーティ・アプリケーションは、メディア／内容のアクセス制御、測定及び無制限の音楽サブスクリプション・サービスの使用を支持する、ＤＲＭのような制御機構を提供する。曲のダウンロードは測定される必要がなく、請求システムに送信される必要もない。したがって、例えば、無制限の音楽サービスの価格は装置販売価格又は月々の定額に含まれ、実際の使用量の測定や、音楽／メディアダウンロードのインフラと請求のインフラとの統合の提供が必要でなくなる。
【００１８】
サードパーティ・アプリケーションはユーザの電話または装置に保存されたアドレス帳データと通信でき、それによって楽曲の傾聴及び／又はダウンロードへの招待を送ることを可能にする。また、サードパーティ・アプリケーションは、ネットワークを効果的に利用するための、メディア資産及びデジタルコンテンツの待ち行列をダウンロードするダウンロードの待ち行列機構を提供する。
【００１９】
該装置は１つ以上のプレーリストを、その後の１人以上の他のユーザによる検索のために１つ以上の遠隔サーバに送信する。１つまたは複数のプレーリストは、統計的情報、再生の評価指標（playing metrics）、メディア推薦エンジン、メディアチャートの説明情報、または如何なる他の情報の中の１つ以上を用いて自動的に生成される。プレーリストが移動無線装置において受信されると、該プレーリストは前記プレーリストに特定されたメディアファイルのダウンロードを自動的に引き起こすために使われる。プレーリストに特定されたメディアファイルは、１つ以上の遠隔サーバから、該プレーリストを受信した移動無線装置に転送され得る。
【００２０】
サードパーティ・アプリケーションは音楽、音、イメージ、ビデオの中の１つ以上に対応できる。
【００２１】
該装置は、サードパーティ・アプリケーションがユーザの電話または装置に保存されたアドレス帳データと、又はサーバに保存された友達や連作先と通信し、楽曲の傾聴及び／又はダウンロードの招待を送ることを可能にする。
【００２２】
サードパーティ・アプリケーションは製造者によって署名されており、それによって署名されていないサードパーティ・アプリケーションより早く認識され、より早く安定した動作を持つ。
【００２３】
該装置のサードパーティ・アプリケーションは製造者によって署名されており、より多くの安全アクセスが提供され、他では不可能である、又はユーザ許可が必要な機能及び機構を実行及びアクセスできる。
【図面の簡単な説明】
【００２４】
【図１】本発明の実施を行っている、ユーザによって使用される携帯電話を示している。
【図２】「新たに入手する：無制限のカタログにアクセス」からの携帯電話画面を示している。
【図３】「新たに入手する：無制限のカタログにアクセス」からの携帯電話画面を示している。
【図４】「コミュニティ：友達を作る、音楽をシェアする」からの携帯電話画面を示している。
【図５】「Ｍａｘ  Ａｐｐ：コミュニティ」の説明を支持する図である。
【図６】「Ｍａｘ  Ａｐｐ：コミュニティ」の説明を支持する図である。
【図７】「Ｍａｘ  Ａｐｐ：コミュニティ」の説明を支持する図である。
【図８】「Ｍａｘ  Ａｐｐ：コミュニティ」の説明を支持する図である。
【図９】「Ｍａｘ  Ａｐｐ：コミュニティ」の説明を支持する図である。
【図１０】「Ｍａｘ  Ａｐｐ：コミュニティ」の説明を支持する図である。
【図１１ａ】「Ｍａｘ  Ａｐｐ：コミュニティ」の説明を支持する図である。
【図１１ｂ】「Ｍａｘ  Ａｐｐ：コミュニティ」の説明を支持する図である。
【図１２】「Ｍａｘ  Ａｐｐ：コミュニティ」の説明を支持する図である。
【図１３】「Ｍａｘ  Ａｐｐ：コミュニティ」の説明を支持する図である。
【図１４ａ】「Ｍａｘ  Ａｐｐ：コミュニティ」の説明を支持する図である。
【図１４ｂ】「Ｍａｘ  Ａｐｐ：コミュニティ」の説明を支持する図である。
【図１４ｃ】「Ｍａｘ  Ａｐｐ：コミュニティ」の説明を支持する図である。
【図１５ａ】「Ｍａｘ  Ａｐｐ：コミュニティ」の説明を支持する図である。
【図１５ｂ】「Ｍａｘ  Ａｐｐ：コミュニティ」の説明を支持する図である。
【図１５ｃ】「Ｍａｘ  Ａｐｐ：コミュニティ」の説明を支持する図である。
【図１６ａ】「Ｍａｘ  Ａｐｐ：コミュニティ」の説明を支持する図である。
【図１６ｂ】「Ｍａｘ  Ａｐｐ：コミュニティ」の説明を支持する図である。
【図１７ａ】「Ｍａｘ  Ａｐｐ：コミュニティ」の説明を支持する図である。
【図１７ｂ】「Ｍａｘ  Ａｐｐ：コミュニティ」の説明を支持する図である。
【図１８ａ】「Ｍａｘ  Ａｐｐ：コミュニティ」の説明を支持する図である。
【図１８ｂ】「Ｍａｘ  Ａｐｐ：コミュニティ」の説明を支持する図である。
【図１９】「Ｍａｘ  Ａｐｐ：コミュニティ」の説明を支持する図である。
【図２０ａ】「Ｍａｘ  Ａｐｐ：コミュニティ」の説明を支持する図である。
【図２０ｂ】「Ｍａｘ  Ａｐｐ：コミュニティ」の説明を支持する図である。
【図２１ａ】「Ｍａｘ  Ａｐｐ：コミュニティ」の説明を支持する図である。
【図２１ｂ】「Ｍａｘ  Ａｐｐ：コミュニティ」の説明を支持する図である。
【図２２】「Ｍａｘ  Ａｐｐ：コミュニティ」の説明を支持する図である。
【図２３ａ】「Ｍａｘ  Ａｐｐ：コミュニティ」の説明を支持する図である。
【図２３ｂ】「Ｍａｘ  Ａｐｐ：コミュニティ」の説明を支持する図である。
【図２４ａ】「Ｍａｘ  Ａｐｐ：コミュニティ」の説明を支持する図である。
【図２４ｂ】「Ｍａｘ  Ａｐｐ：コミュニティ」の説明を支持する図である。
【図２５ａ】「Ｍａｘ  Ａｐｐ：コミュニティ」の説明を支持する図である。
【図２５ｂ】「Ｍａｘ  Ａｐｐ：コミュニティ」の説明を支持する図である。
【図２６】「Ｍａｘ  Ａｐｐ：コミュニティ」の説明を支持する図である。
【図２７ａ】「Ｍａｘ  Ａｐｐ：コミュニティ」の説明を支持する図である。
【図２７ｂ】「Ｍａｘ  Ａｐｐ：コミュニティ」の説明を支持する図である。
【図２８】「Ｍａｘ  Ａｐｐ：コミュニティ」の説明を支持する図である。
【図２９】「Ｍａｘ  Ａｐｐ：コミュニティ」の説明を支持する図である。
【図３０】携帯版ＭｕｓｉｃＳｔａｔｉｏｎのスクリーンフロー及びライフサイクルの説明を支持する図である。
【図３１】携帯版ＭｕｓｉｃＳｔａｔｉｏｎのスクリーンフロー及びライフサイクルの説明を支持する図である。
【図３２】携帯版ＭｕｓｉｃＳｔａｔｉｏｎのスクリーンフロー及びライフサイクルの説明を支持する図である。
【図３３】携帯版ＭｕｓｉｃＳｔａｔｉｏｎのスクリーンフロー及びライフサイクルの説明を支持する図である。
【図３４】携帯版ＭｕｓｉｃＳｔａｔｉｏｎのスクリーンフロー及びライフサイクルの説明を支持する図である。
【図３５】携帯版ＭｕｓｉｃＳｔａｔｉｏｎのスクリーンフロー及びライフサイクルの説明を支持する図である。
【図３６】携帯版ＭｕｓｉｃＳｔａｔｉｏｎのスクリーンフロー及びライフサイクルの説明を支持する図である。
【図３７】携帯版ＭｕｓｉｃＳｔａｔｉｏｎのスクリーンフロー及びライフサイクルの説明を支持する図である。
【図３８】携帯版ＭｕｓｉｃＳｔａｔｉｏｎのスクリーンフロー及びライフサイクルの説明を支持する図である。
【図３９】携帯版ＭｕｓｉｃＳｔａｔｉｏｎのスクリーンフロー及びライフサイクルの説明を支持する図である。
【図４０】携帯版ＭｕｓｉｃＳｔａｔｉｏｎのスクリーンフロー及びライフサイクルの説明を支持する図である。
【図４１ａ】携帯版ＭｕｓｉｃＳｔａｔｉｏｎのスクリーンフロー及びライフサイクルの説明を支持する図である。
【図４１ｂ】携帯版ＭｕｓｉｃＳｔａｔｉｏｎのスクリーンフロー及びライフサイクルの説明を支持する図である。
【図４２ａ】携帯版ＭｕｓｉｃＳｔａｔｉｏｎのスクリーンフロー及びライフサイクルの説明を支持する図である。
【図４２ｂ】携帯版ＭｕｓｉｃＳｔａｔｉｏｎのスクリーンフロー及びライフサイクルの説明を支持する図である。
【図４２ｃ】携帯版ＭｕｓｉｃＳｔａｔｉｏｎのスクリーンフロー及びライフサイクルの説明を支持する図である。
【図４３】携帯版ＭｕｓｉｃＳｔａｔｉｏｎのスクリーンフロー及びライフサイクルの説明を支持する図である。
【図４４】携帯版ＭｕｓｉｃＳｔａｔｉｏｎのスクリーンフロー及びライフサイクルの説明を支持する図である。
【図４５】携帯版ＭｕｓｉｃＳｔａｔｉｏｎのスクリーンフロー及びライフサイクルの説明を支持する図である。
【図４６ａ】携帯版ＭｕｓｉｃＳｔａｔｉｏｎのスクリーンフロー及びライフサイクルの説明を支持する図である。
【図４６ｂ】携帯版ＭｕｓｉｃＳｔａｔｉｏｎのスクリーンフロー及びライフサイクルの説明を支持する図である。
【図４７】携帯版ＭｕｓｉｃＳｔａｔｉｏｎのスクリーンフロー及びライフサイクルの説明を支持する図である。
【図４８】携帯版ＭｕｓｉｃＳｔａｔｉｏｎのスクリーンフロー及びライフサイクルの説明を支持する図である。
【図４９】携帯版ＭｕｓｉｃＳｔａｔｉｏｎのスクリーンフロー及びライフサイクルの説明を支持する図である。
【図５０】携帯版ＭｕｓｉｃＳｔａｔｉｏｎのスクリーンフロー及びライフサイクルの説明を支持する図である。
【図５１】携帯版ＭｕｓｉｃＳｔａｔｉｏｎのスクリーンフロー及びライフサイクルの説明を支持する図である。
【図５２】携帯版ＭｕｓｉｃＳｔａｔｉｏｎのスクリーンフロー及びライフサイクルの説明を支持する図である。
【図５３ａ】携帯版ＭｕｓｉｃＳｔａｔｉｏｎのスクリーンフロー及びライフサイクルの説明を支持する図である。
【図５３ｂ】携帯版ＭｕｓｉｃＳｔａｔｉｏｎのスクリーンフロー及びライフサイクルの説明を支持する図である。
【図５４】携帯版ＭｕｓｉｃＳｔａｔｉｏｎのスクリーンフロー及びライフサイクルの説明を支持する図である。
【図５５】携帯版ＭｕｓｉｃＳｔａｔｉｏｎのスクリーンフロー及びライフサイクルの説明を支持する図である。
【図５６】携帯版ＭｕｓｉｃＳｔａｔｉｏｎのスクリーンフロー及びライフサイクルの説明を支持する図である。
【図５７】携帯版ＭｕｓｉｃＳｔａｔｉｏｎのスクリーンフロー及びライフサイクルの説明を支持する図である。
【図５８】携帯版ＭｕｓｉｃＳｔａｔｉｏｎのスクリーンフロー及びライフサイクルの説明を支持する図である。
【図５９】携帯版ＭｕｓｉｃＳｔａｔｉｏｎのスクリーンフロー及びライフサイクルの説明を支持する図である。
【図６０】携帯版ＭｕｓｉｃＳｔａｔｉｏｎのスクリーンフロー及びライフサイクルの説明を支持する図である。
【図６１】携帯版ＭｕｓｉｃＳｔａｔｉｏｎのスクリーンフロー及びライフサイクルの説明を支持する図である。
【図６２】携帯版ＭｕｓｉｃＳｔａｔｉｏｎのスクリーンフロー及びライフサイクルの説明を支持する図である。
【図６３】携帯版ＭｕｓｉｃＳｔａｔｉｏｎのスクリーンフロー及びライフサイクルの説明を支持する図である。
【図６４】携帯版ＭｕｓｉｃＳｔａｔｉｏｎのスクリーンフロー及びライフサイクルの説明を支持する図である。
【図６５】携帯版ＭｕｓｉｃＳｔａｔｉｏｎのスクリーンフロー及びライフサイクルの説明を支持する図である。
【図６６ａ】携帯版ＭｕｓｉｃＳｔａｔｉｏｎのスクリーンフロー及びライフサイクルの説明を支持する図である。
【図６６ｂ】携帯版ＭｕｓｉｃＳｔａｔｉｏｎのスクリーンフロー及びライフサイクルの説明を支持する図である。
【図６６ｃ】携帯版ＭｕｓｉｃＳｔａｔｉｏｎのスクリーンフロー及びライフサイクルの説明を支持する図である。
【図６７】携帯版ＭｕｓｉｃＳｔａｔｉｏｎのスクリーンフロー及びライフサイクルの説明を支持する図である。
【図６８ａ】携帯版ＭｕｓｉｃＳｔａｔｉｏｎのスクリーンフロー及びライフサイクルの説明を支持する図である。
【図６８ｂ】携帯版ＭｕｓｉｃＳｔａｔｉｏｎのスクリーンフロー及びライフサイクルの説明を支持する図である。
【図６９】携帯版ＭｕｓｉｃＳｔａｔｉｏｎのスクリーンフロー及びライフサイクルの説明を支持する図である。
【図７０ａ】携帯版ＭｕｓｉｃＳｔａｔｉｏｎのスクリーンフロー及びライフサイクルの説明を支持する図である。
【図７０ｂ】携帯版ＭｕｓｉｃＳｔａｔｉｏｎのスクリーンフロー及びライフサイクルの説明を支持する図である。
【図７１】携帯版ＭｕｓｉｃＳｔａｔｉｏｎのスクリーンフロー及びライフサイクルの説明を支持する図である。
【図７２】携帯版ＭｕｓｉｃＳｔａｔｉｏｎのスクリーンフロー及びライフサイクルの説明を支持する図である。
【図７３】携帯版ＭｕｓｉｃＳｔａｔｉｏｎのスクリーンフロー及びライフサイクルの説明を支持する図である。
【図７４】携帯版ＭｕｓｉｃＳｔａｔｉｏｎのスクリーンフロー及びライフサイクルの説明を支持する図である。
【図７５】携帯版ＭｕｓｉｃＳｔａｔｉｏｎのスクリーンフロー及びライフサイクルの説明を支持する図である。
【図７６】携帯版ＭｕｓｉｃＳｔａｔｉｏｎのスクリーンフロー及びライフサイクルの説明を支持する図である。
【図７７】携帯版ＭｕｓｉｃＳｔａｔｉｏｎのスクリーンフロー及びライフサイクルの説明を支持する図である。
【図７８】携帯版ＭｕｓｉｃＳｔａｔｉｏｎのスクリーンフロー及びライフサイクルの説明を支持する図である。
【図７９】携帯版ＭｕｓｉｃＳｔａｔｉｏｎのスクリーンフロー及びライフサイクルの説明を支持する図である。
【発明を実施するための形態】
【００２５】
図１は、本願の好ましい実施形態であるサンプル実施を実行する、ユーザによって使用中の携帯電話を示している。本発明はこの好ましい実施形態を引用して説明される。本発明のある実施形態は、ここに説明された全ての機能が組み込まれる必要はないが、次のような機能を含む：
−内蔵されたメディアプレーヤをほぼ又は全然変更せずに実行される。
−内蔵されたメディアプレーヤの外観と雰囲気で提供される。
−内蔵されたメディアプレーヤの性能を拡張又は改善。
【００２６】
更に、例示的な実施形態に示された次のような１つ以上の機能又は技術的に同等な機能を含み得る：
−統合された無制限の音楽サブスクリプション・サービス（“Ａｌｌ−Ｙｏｕ−Ｃａｎ−Ｅａｔ”−ＡＹＣＥ）及び関連するコミュニティ特性を提供するために本来又は内蔵のメディアプレーヤ環境を拡張する、速い１段階実施。
−Ｊ２ＭＥや他のソフトウェア・アプリケーションを内蔵されたメディアプレーヤにきれいに追加できる方法を用いる。
−オムニフォーンのＭｕｓｉｃＳｔａｔｉｏｎ  Ｍａｘ  ｂａｃｋ  ｅｎｄ無制限音楽サブスクリプション・サービスのインフラ（参照によって組み込まれたＷＯ２００７／１２９０８１を参照）を利用。
【００２７】
図２は「新たに入手する：無制限カタログにアクセス」機能を紹介する。これは次のようなものを含む：
−莫大な曲のカタログへのフールアクセス。
−検索、新たなアーティスト、新たなアルバム、新たな曲、新たなプレーリスト、最新のチャートでカタログをナビゲートする。
−ダウンロードマネージャにおいて、ダウンロードする各曲、アルバム全体、又はプレーリスト全体を選択。
【００２８】
図２では、ユーザはメインメニューをナビゲートし、「Ｎｅｗ  Ａｌｂｕｍｓ（新たなアルバム）」機能を選択している。
【００２９】
図３は、図２から続いている。図３では、ユーザは「Ｒｅｃｏｍｍｅｎｄｅｄ  Ａｌｂｕｍｓ（お勧めのアルバム）」、続いて「Ａｌｂｕｍ：Ｓｐｉｒｉｔ（アルバム：スピリット）」を選択し、次にユーザはアルバムがダウンロードされることが見られるようになる。
【００３０】
図４は「コミュニティ：友達を作る、音楽をシェアする」機能を紹介する。これは次のようなものを含む：
−内蔵のメディアプレーヤをコミュニティ機能に対応できる音楽アプリケーションに変える。
−新たな友達を探す；曲、アルバム、アーティスト及びプレーリストを既に存在する友達と共有（シェア）する。
−共有又はお勧めのプレーリストにアクセスする。
【００３１】
図４では、ユーザはメインメニューにおいて「Ｍｙ  Ｆｒｉｅｎｄｓ（私の友達）」を選択し、続いて「Ｆｒｉｅｎｄ  Ｄｅｔａｉｌ（友達の詳細）」、「Ｓｈａｒｅｄ  Ｐｌａｙｌｉｓｔｓ（共有のプレーリスト）」を順番に選択し、次にユーザはプレーリストがダウンロードされることを見られるようになる。
【００３２】
図５から１８は「Ｍａｘ  Ａｐｐ：Ｃｏｍｍｕｎｉｔｙ」の機能を示している。
【００３３】
図５は「Ｃｏｍｍｕｎｉｔｙ（コミュニティ）」アプリケーション（メニュー）にアクセスすることを示している。ユーザは本来のメディアプレーヤのメインメニューから音楽プレーヤのメインメニューまでナビゲートし、次に音楽プレーヤのメインメニュー内、最終的には「コミュニティ」のメインメニューまでナビゲートする。
【００３４】
図６は「Ｍｙ  Ｐｒｏｆｉｌｅ（私のプロファイル）：Ｓｅｔｔｉｎｇ  ｙｏｕｒ  ＩＤ（ＩＤ設定）」機能を示している。ユーザは「コミュニティ」の「メインメニュー」から「コミュニティ」の「私のプロファイル」メニューにナビゲートし、「コミュニティ」の「ＩＤ設定」メニューへ、そして最終的に「コミュニティ」の私のプロファイル」メニューにナビゲートする。
【００３５】
図７は「Ｍｙ  Ｐｒｏｆｉｌｅ（私のプロファイル）−Ｓｅｔｔｉｎｇ  ｙｏｕｒ  ｍｅｍｂｅｒ  ｉｍａｇｅ（メンバ写真設定）」を示している。ユーザは「コミュニティ」の「Ｍｙ  ｐｒｏｆｉｌｅ（私のプロファイル）」メニューから「Ｃｏｍｍｕｎｉｔｙ（コミュニティ）」の「Ｍｅｍｂｅｒ  ｉｍａｇｅ  Ｓｅｌｅｃｔ（メンバ写真選択）」メニューにナビゲートし、次に「Ｃｏｍｍｕｎｉｔｙ（コミュニティ）」の「Ｍｅｍｂｅｒ  ｉｍａｇｅ  ｓｅｌｅｃｔ（メンバ写真選択）」メニュー内を、最終的には「Ｃｏｍｍｕｎｉｔｙ（コミュニティ）」の「Ｍｙ  ｐｒｏｆｉｌｅ（私のプロファイル）」メニューにナビゲートする。
【００３６】
図８は「Ｍｙ  Ｐｒｏｆｉｌｅ（私のプロファイル）−Ｓｅｔｔｉｎｇ  ｙｏｕｒ  ｃａｔｃｈｐｈｒａｓｅ（キャッチフレーズ設定）」を示している。ユーザは「コミュニティ」のメインメニューから、「Ｃｏｍｍｕｎｉｔｙ（コミュニティ）」の「Ｍｙ  ｐｒｏｆｉｌｅ（私のプロファイル）」メニューに、そして「Ｃｏｍｍｕｎｉｔｙ（コミュニティ）」の「Ｓｅｔｔｉｎｇ  ｙｏｕｒ  ｃａｔｃｈｐｈｒａｓｅ（キャッチフレーズ設定）」にナビゲートし、最終的には「Ｃｏｍｍｕｎｉｔｙ（コミュニティ）」の「Ｍｙ  ｐｒｏｆｉｌｅ（私のプロファイル）」メニューにナビゲートする。
【００３７】
図９は「Ｍｙ  Ｐｒｏｆｉｌｅ（私のプロファイル）−Ｃｏｎｔｒｏｌｌｉｎｇ  ｗｈｅｔｈｅｒ  ｙｏｕｒ  ｐｒｏｆｉｌｅ  ｉｓ  ｓｈｏｗｎ  ｔｏ  ｏｔｈｅｒ  ｕｓｅｒｓ（他のユーザに対するプロファイル公開又は非公開の設定）」を示している。ユーザは「Ｃｏｍｍｕｎｉｔｙ（コミュニティ）」のメインメニューから「コミュニティ」の「Ｓｈｏｗ  ｐｒｏｆｉｌｅ（プロファイルを公開）＝ｙｅｓ（はい）」のページに、そして最終的に「コミュニティ」の「Ｓｈｏｗ  ｐｒｏｆｉｌｅ（プロファイルを公開）＝ｎｏ（いいえ）」のページへナビゲートする。
【００３８】
図１０は「Ｍｙ  Ｐｒｏｆｉｌｅ（私のプロファイル）−Ｃｏｎｔｒｏｌｌｉｎｇ  ｗｈｅｔｈｅｒ  ｙｏｕｒ  ｔｏｐ  ｔｒａｃｋｓ  ａｒｅ  ｓｈｏｗｎ  ｔｏ  ｏｔｈｅｒ  ｕｓｅｒｓ（他のユーザに自分のトップ曲を公開又は非公開の設定）」を示している。ユーザは「コミュニティ」のメインメニューからコミュニティの「Ｓｈｏｗ  ｔｏｐ  ｔｒａｃｋｓ（トップ曲を公開する）＝Ｙｅｓ（はい）」のページに、そして最終的には「コミュニティ」の「Ｓｈｏｗ  ｔｏｐ  ｔｒａｃｋｓ（トップ曲を公開する）＝ｎｏ（いいえ）」にナビゲートする。
【００３９】
図１１ａは「Ｉｎｂｏｘ（受信）−Ａｃｃｅｓｓｉｎｇ  ｒｅｃｏｍｍｅｎｄａｔｉｏｎｓ  ｆｒｏｍ  ｆｒｉｅｎｄｓ（ａｒｔｉｓｔｓ，ａｌｂｕｍ，ｔｒａｃｋｓ  ａｎｄ  ｐｌａｙｌｉｓｔ）（友達からのお勧めにアクセス（アーティスト、アルバム、曲及びプレーリスト））」を示している。ユーザはコミュニティのメインメニューから「コミュニティ」の「トップ曲を公開＝はい」のページにナビゲートし、「コミュニティ」の「トップ曲を公開＝はい」のページにナビゲートし続ける。
【００４０】
図１１ｂ（図１１ａから続く）は、「Ｉｎｂｏｘ（受信）−Ａｃｃｅｓｓｉｎｇ  ｒｅｃｏｍｍｅｎｄａｔｉｏｎｓ  ｆｒｏｍ  ｆｒｉｅｎｄｓ（ａｒｔｉｓｔｓ，ａｌｂｕｍ，ｔｒａｃｋｓ  ａｎｄ  ｐｌａｙｌｉｓｔ）（友達からのお勧めにアクセス（アーティスト、アルバム、曲及びプレーリスト））」を示している。ユーザは「コミュニティ」の「Ｒｅｃｏｍｍｅｎｄａｔｉｏｎ  Ｉｎｆｏ（お勧め情報）」に、そして「コミュニティ」の「Ｉｎｂｏｘ（受信）−Ｒｅｃｏｍｍｅｎｄｅｄ（お勧め）」に進み、最終的に「コミュニティ」において曲がダウンロードされることがユーザに表示される。
【００４１】
図１２は「Ｉｎｂｏｘ（受信）−Ｒｅａｄｉｎｇ  ｎｅｗｓ（ニュース（ユーザの音楽の好みを用いて選別された記事）を読む）」を示している。ユーサは「コミュニティ」のメインメニューから「コミュニティ」の「Ｉｎｂｏｘ（受信）」メニューに、そして「コミュニティ」の「Ｎｅｗｓ  ｌｉｓｔ（ニュースリスト）」メニューにナビゲートし、最終的に「コミュニティ」の「Ｎｅｗｓ  Ａｒｔｉｃｌｅ（ニュース記事）」に到達する。
図１３は「Ｉｎｂｏｘ（受信）−Ａｐｐｒｏｖｉｎｇ  ｒｅｑｕｅｓｔ  ｆｒｏｍ  ｏｔｈｅｒ  ｔｏ  ｂｅ  ｙｏｕｒ  ｆｒｉｅｎｄ（友達追加要請を承諾−承諾、拒絶、ブロック、及び不正使用の報告を含む）」を示している。ユーザは「コミュニティ」のメインメニューから「コミュニティ」の「Ｉｎｂｏｘ（受信）」にナビゲートし、次に「コミュニティ」の「友達要請」メニューに移り、最終的に「コミュニティ」の「承諾を友達に送信」画面に到達する。
【００４２】
図１４ａ、１４ｂ及び１４ｃは「Ｍｙ  ｆｒｉｅｎｄｓ（私の友達）−Ｌｉｓｔｅｎｉｎｇ  ｔｏ  ｙｏｕｒ  ｆｒｉｅｎｄｓ  ｆａｖｏｒｉｔｅ  ｍｕｓｉｃ（友達の好きな音楽を聴く（共有のプレーリスト、トップアーティスト、トップアルバム及びトップ曲））」を示している。図１４ａでは、ユーザは「コミュニティ」のメインメニューから「コミュニティ」の「Ｍｙ  Ｆｒｉｅｎｄｓ（私の友達）」メニューにナビゲートする。
【００４３】
図１４ａから続く図１４ｂでは、ユーザは図１４ａにおける「コミュニティ」の「Ｍｙ  ｆｒｉｅｎｄｓ（私の友達）」メニューから、任意的に「コミュニティ」の「Ｆｒｉｅｎｄ  Ｏｐｔｉｏｎｓ（友達オプション）」メニューに、そして「コミュニティ」の「Ｆｒｉｅｎｄ‘ｓ  ｓｈａｒｅｄ  ｐｌａｙｌｉｓｔｓ（友達と共有のプレーリスト）」画面にナビゲートできる。
【００４４】
図１４ａから続く図１４ｃでは、ユーザは図１４ａにおける「コミュニティ」の「Ｍｙ  ｆｒｉｅｎｄｓ（私の友達）」メニューから、任意的に「コミュニティ」の「Ｆｒｉｅｎｄ  Ｏｐｔｉｏｎｓ（友達オプション）」メニューに、そして「コミュニティ」の「Ｆｒｉｅｎｄ’ｓ  ｔｏｐ  ａｒｔｉｓｔｓ（友達のトップアーティスト）」画面にナビゲートできる。
【００４５】
図１５ａ、１５ｂ及び１５ｃは「Ｍｙ  ｆｒｉｅｎｄｓ（私の友達）−Ｌｉｓｔｅｎｉｎｇ  ｔｏ  ｙｏｕｒ  ｆｒｉｅｎｄ‘ｓ  ｆａｖｏｒｉｔｅ  ｍｕｓｉｃ（友達の好きな曲を聴く−共有のプレーリスト、トップアーティスト、トップアルバム、及びトップ曲）ａｎｄ  ｍｅｅｔｉｎｇ  ｔｈｅｉｒ  ｆｒｉｅｎｄｓ（及び友達の友達に会う）」を示している。図１５ａでは、ユーザは「コミュニティ」のメインメニューから「コミュニティ」の「Ｍｙ  ｆｒｉｅｎｄｓ（私の友達）」メニューに、そして任意的に「コミュニティ」の「Ｆｒｉｅｎｄ  Ｏｐｔｉｏｎ（友達オプション）」メニュー、それから「コミュニティ」の「Ｆｒｉｅｎｄ’ｓ  ｔｏｐ  ａｌｂｕｍｓ（友達のトップアルバム）」画面にナビゲートできる。
【００４６】
図１５ａから続く図１５ｂでは、ユーザは図１５ａにおける「コミュニティ」の「Ｍｙ  ｆｒｉｅｎｄｓ（私の友達）」メニューから、「コミュニティ」の「Ｆｒｉｅｎｄ  Ｏｐｔｉｏｎｓ（友達オプション）」メニューに、そして「コミュニティ」の「Ｆｒｉｅｎｄ‘ｓ  Ｔｏｐ  ｔｒａｃｋｓ（友達のトップ曲）」画面に任意的にナビゲートできる。
【００４７】
図１５ａから続く図１５ｃでは、ユーザは図１５ａにおける「コミュニティ」の「Ｍｙ  ｆｒｉｅｎｄｓ（私の友達）」メニューから、「コミュニティ」の「Ｆｒｉｅｎｄ  Ｏｐｔｉｏｎｓ（友達オプション）」メニューに、そして「コミュニティ」の「Ｙｏｕｒ  Ｆｒｉｅｎｄ‘ｓ  ｆｒｉｅｎｄｓ（友達の友達）」画面に任意的にナビゲートできる。
図１６ａ及び１６ｂは「Ｍｙ  ｆｒｉｅｎｄｓ（私の友達）−Ｌｉｓｔｅｎｉｎｇ  ｔｏ  ｙｏｕｒ  ｆｒｉｅｎｄ‘ｓ  ｆａｖｏｒｉｔｅ  ｍｕｓｉｃ（友達の好きな曲を聴く）ａｎｄ  ｍｅｅｔｉｎｇ  ｔｈｅｉｒ  ｆｒｉｅｎｄｓ（及び友達の友達に会う）」を示している。図１６ａは「コミュニティ」のメインメニューを示しており、これからユーザは「コミュニティ」の「Ａｄｄ  Ｆｒｉｅｎｄ（友達を追加）」メニュー、そして「コミュニティ」の「Ａｄｄ  Ｐｕｒｐｌｅ  Ｐｅｏｐｌｅ（パープルピーブルを追加）」画面、「コミュニティ」の「Ｆｒiｅｎｄ  Ｒｅｑｕｅｓｔ（友達要請）」画面にナビゲートできる。
【００４８】
図１６ａから続く図１６ｂでは、ユーザは図１６ａにおける「コミュニティ」のメインメニューから、「コミュニティ」の「Ａｄｄ  Ｆｒｉｅｎｄ  （友達を追加）」、「コミュニティ」の「Ａｃｃｅｓｓ  Ｐｈｏｎｅ  Ｂｏｏｋ（電話帳にアクセス）」、及び「コミュニティ」の「Ｆｒｉｅｎｄ  Ｒｅｑｕｅｓｔ（友達の要請を送信終了）」画面に任意的にナビゲートできる。
【００４９】
図１７ａ及び１７ｂは「Ｃｏｏｌ  ｍｅｍｂｅｒｓ（クールメンバ）−Ｆｉｎｄ  ｔｈｅ  ｔｏｐ  Ｃｏｍｍｕｎｉｔｙ  ｕｎｌｉｍｉｔｅｄ  ｍｅｍｂｅｒｓ  ａｎｄ  ｇｅｔ  ｍｅｍｂｅｒ  ｒｅｃｏｍｍｅｎｄａｔｉｏｎｓ（コミュニティのトップの無制限メンバを探し、お勧め情報をもらう）」を示している。図１７ａは「コミュニティ」のメインメニューを示しており、それからユーザは「コミュニティ」の「Ｃｏｏｌ  ｍｅｍｂｅｒｓ（クールメンバ）」メニューに、次に「コミュニティ」の「Ｔｏｐ  ｍｅｍｂｅｒ（トップメンバ）」画面に、そして「コミュニティ」の「Ｆｒｉｅｎｄｓ  ｒｅｑｕｅｓｔ  ｓｅｎｔ（友達要請送信終了）」にナビゲートすることができる。
【００５０】
図１７ａから続く図１７ｂでは、ユーザは図１７ａにおける「コミュニティ」のメインメニューから、「コミュニティ」の「Ｃｏｏｌ  ｍｅｍｂｅｒｓ（クールメンバ）」メニューに、次に「コミュニティ」の「Ｒｅｃｏｍｍｅｎｄｅｄ  Ｍｅｍｂｅｒｓ（お勧めのメンバ）」画面に、そして「コミュニティ」の「Ｆｒｉｅｎｄ  ｒｅｑｕｅｓｔ  ｓｅｎｔ（友達要請送信終了）」に任意的にナビゲートできる。
【００５１】
図１８ａ及び１８ｂは「Ｓｈａｒｅｄ  ｐｌａｙｌｉｓｔｓ（共有のプレーリスト）−Ｆｉｎｄ  ａｎｄ  ｄｏｗｎｌｏａｄ  ｓｈａｒｅｄ  ｐｌａｙｌｉｓｔｓ  ｆｒｏｍ  ｔｏｐ  ａｎｄ  ｒｅｃｏｍｍｅｎｄｅｄ  ｍｅｍｂｅｒｓ（トップのお勧めメンバからプレーリストを探し、ダウンロードする）」を示している。図１８ａは「コミュニティ」のメインメニューを示しており、これからユーザは「コミュニティ」の「Ｓｈａｒｅｄ  Ｐｌａｙｌｉｓｔｓ（共有のプレーリスト）」メニューに、次に「コミュニティ」の「Ｔｏｐ  ｐｌａｙｌｉｓｔｓ（トッププレーリスト）」画面、そして「コミュニティ」のプレーリストがダウンロードされる画面に任意的にナビゲートできる。
【００５２】
図１８ａから続く図１８ｂでは、ユーザは図１８ａにおける「コミュニティ」のメインメニューから、「コミュニティ」の「Ｓｈａｒｅｄ  ｐｌａｙｌｉｓｔｓ（共有のプレーリスト）」メニューに、次に「コミュニティ」の「Ｐｌａｙ  ｌｉｓｔ  ｒｅｃｏｍｍｅｎｄｅｄ（お勧めのプレーリスト）」画面に、そして「コミュニティ」ののプレーリストがダウンロードされる画面に任意的にナビゲートできる。
【００５３】
図１９から２９は「Ｍａｘ  Ａｐｐ：“Ｇｅｔ  Ｎｅｗ”（新たに入手する）」を示している。
【００５４】
図１９は「Ｇｅｔ  Ｎｅｗ（新たに入手する）」アプリケーション（メニュー）にアクセスすることを示している。ユーザは本来のメディアプレーヤのメインメニューから音楽プレーヤメインメニューにナビゲートでき、それから音楽プレーヤのメインメニュー内を、そして最終的には「Ｇｅｔ  Ｎｅｗ（新たに入手する）」のメインメニューにナビゲートできる。
【００５５】
図２０ａ及び２０ｂは「Ａｒｔｉｓｔ  Ｓｅａｒｃｈ（アーティスト検索）」を示している。図２０ａでは、ユーザは「Ｇｅｔ  Ｎｅｗ（新たに入手する）」のメインメニューから、「Ｇｅｔ  Ｎｅｗ（新たに入手する）」の「Ｓｅａｒｃｈ  ｍｅｎｕ（検索メニュー）、「Ｇｅｔ  Ｎｅｗ（新たに入手する）」の「Ａｒｔｉｓｔ  ｓｅａｒｃｈ  ｔｅｒｍ（アーティスト検索ターム）」画面、そして「Ｇｅｔ  Ｎｅｗ（新たに入手する）」の「Ａｒｔｉｓｔ  ｓｅａｒｃｈ  ｒｅｓｕｌｔｓ（アーティスト検索結果）」にナビゲートできる。そこからは２つのオプションがある。図２０ｂでは、図２０ａにおける「Ｇｅｔ  ｎｅｗ（新たに入手する）：Ａｒｔｉｓｔ  ｓｅａｒｃｈ  ｒｅｓｕｌｔｓ（アーティスト検索結果」画面から、「Ｇｅｔ  ｎｅｗ（新たに入手する）：ａｒｔｉｓｔ  ａｌｂｕｍ  （アーティストアルバム）」リスト、そして「Ｇｅｔ  ｎｅｗ（新たに入手する）：ａｒｔｉｓｔ  ｔｏｐ  ｔｒａｃｋｓ（アーティストのトップ曲）」リストへの経路、又は「Ｇｅｔ  ｎｅｗ（新たに入手する）：ａｒｔｉｓｔ  ａｌｂｕｍ（アーティストアルバム」リスト、「Ｇｅｔ  ｎｅｗ（新たに入手する）：ａｌｂｕｍ  ｄｅｔａｉｌ（アルバムの詳細）」の画面への経路のいずれかに行けることが理解できる。
【００５６】
図２１ａ及び２１ｂは「Ａｌｂｕｍ  ｓｅａｒｃｈ（アルバム検索）」を示している。図２１ａでは、ユーザは「Ｇｅｔ  ｎｅｗ（新たに入手する）」のメインメニューから「Ｇｅｔ  ｎｅｗ（新たに入手する）：Ｓｅａｒｃｈ（検索）」メニューに進む。図２１ｂは図２１ａから続いている。「Ｇｅｔ  ｎｅｗ（新たに入手する）：Ｓｅａｒｃｈ（検索）」メニューから、ユーザは「Ｇｅｔ  ｎｅｗ（新たに入手する）：Ａｌｂｕｍ  ｓｅａｒｃｈ  ｔｅｒｍ（アルバム検索ターム）」に、そして「Ｇｅｔ  ｎｅｗ（新たに入手する）：Ａｌｂｕｍ  ｓｅａｒｃｈ  ｒｅｓｕｌｔｓ（アルバム検索結果）」に、続いて「Ｇｅｔ  ｎｅｗ（新たに入手する）：Ａｌｂｕｍ  ｄｅｔａｉｌ（アルバムの詳細）」にナビゲートする。
【００５７】
図２２は「Ｔｒａｃｋ  ｓｅａｒｃｈ（曲の検索）」を示している。ユーザは「Ｇｅｔ  ｎｅｗ（新たに入手する）」のメインメニューから「Ｇｅｔ  ｎｅｗ（新たに入手する）：Ｓｅａｒｃｈ（検索）」メニューに、それから「Ｇｅｔ  ｎｅｗ（新たに入手する）：Ｔｒａｃｋ  ｓｅａｒｃｈ  ｔｅｒｍ（きょくの検索ターム）」、そして最終的に「Ｇｅｔ  ｎｅｗ（新たに入手する）：Ｔｒａｃｋ  ｓｅａｒｃｈ  ｒｅｓｕｌｔｓ（曲検索結果）」画面にナビゲートできる。
【００５８】
図２３ａ及び２３ｂは「Ｐｌａｙｌｉｓｔ  ｓｅａｒｃｈ（プレーリストの検索）」を示している。図２３ａでは、ユーザは「Ｇｅｔ  ｎｅｗ（新たに入手する）」のメインメニューから「Ｇｅｔ  ｎｅｗ（新たに入手する）：Ｓｅａｒｈ（検索）」メニューに、そして「Ｇｅｔ  ｎｅｗ（新たに入手する）：Ｐｌａｙｌｉｓｔ  ｓｅａｒｃｈ  ｔｅｒｍ（プレーリスト検索ターム）」に、その次に「Ｇｅｔ  ｎｅｗ（新たに入手する）：Ｐｌａｙｌｉｓｔ  ｓｅａｒｃｈ  ｒｅｓｕｌｔｓ（プレーリストサーチ結果）」画面にナビゲートできる。そこからユーザは２つの選択肢がある。図２３ｂに示されているように、ユーザは、図２３ａの「Ｇｅｔ  ｎｅｗ（新たに入手する）：Ｐｌａｙｌｉｓｔ  ｓｅａｒｃｈ  ｒｅｓｕｌｔｓ（プレーリスト検索結果）」画面から、「Ｇｅｔ  ｎｅｗ（新たに入手する）：Ｐｌａｙｌｉｓｔ  ｄｅｔａｉｌ（プレーリストの詳細）」、続いて「Ｇｅｔ  ｎｅｗ（新たに入手する）：Ｐｌａｙｌｉｓｔ  ｂｅｉｎｇ  ｄｏｗｎｌｏａｄｅｄ（プレーリストダウンロード中）」画面に、或いは「Ｇｅｔ  ｎｅｗ（新たに入手する）：Ｐｌａｙｌｉｓｔ  ｄｅｔａｉｌ（プレーリストの詳細）」から「Ｇｅｔ  ｎｅｗ（新たに入手する）：Ｔｒａｃｋ  ｂｅｉｎｇ  ｄｏｗｎｌｏａｄｅｄ（曲をダウンロード中）」にナビゲートすることができる。
【００５９】
図２４ａ及び２４ｂは「Ｎｅｗ  ａｒｔｉｓｔｓ（新人アーティスト）」を示している。図２４ａでは、ユーザは「Ｇｅｔ  ｎｅｗ（新たに入手する）」のメインメニューから「Ｇｅｔ  ｎｅｗ（新たに入手する）：Ｔｏｐ  ａｒｔｉｓｔ（トップアーティスト）」メニューに、そして「Ｇｅｔ  ｎｅｗ（新たに入手する）：Ａｒｔｉｓｔ  ａｌｂｕｍ  ｌｉｓｔ（アーティストアルバムリスト）」に到達する。図２４ｂは図２４ａから続く。ユーザは図２４ａにおける「Ｇｅｔ  ｎｅｗ（新たに入手する）：Ａｒｔｉｓｔ  ａｌｂｕｍ  ｌｉｓｔ（アーティストアルバムリスト）」内をナビゲートし、続いて「Ｇｅｔ  ｎｅｗ（新たに入手する）：Ａｌｂｕｍ  ｄｅｔａｉｌ（アルバムの詳細）」に進み、続いて「Ｇｅｔ  ｎｅｗ（新たに入手する）：Ｔｒａｃｋ  ｂｅｉｎｇ  ｄｏｗｎｌｏａｄｅｄ（曲をダウンロード中）」の画面に到達する。
【００６０】
図２５ａ及び２５ｂは「Ｎｅｗ  ａｌｂｕｍｓ（新しいアルバム）」を示している。図２５ａでは、ユーザは「Ｇｅｔ  ｎｅｗ（新たに入手する）」のメインメニューから、「Ｇｅｔ  ｎｅｗ（新たに入手する）：Ｎｅｗ  ａｌｂｕｍｓ（新しいアルバム）」に進み、それから「Ｇｅｔ  ｎｅｗ（新たに入手する）：Ｊｕｓｔ  ｒｅｌｅａｓｅｄ  ａｌｂｕｍ  ｌｉｓｔ（最新アルバムのリスト）」に、そして「Ｇｅｔ  ｎｅｗ（新たに入手する）：Ａｌｂｕｍ  ｄｅｔａｉｌ（アルバムの詳細）」画面に到達する。図２５ｂは図２５ａから続いている。ユーザは、図２５ａの「Ｇｅｔ  ｎｅｗ（新たに入手する）：Ａｌｂｕｍ  ｄｅｔａｉｌ（アルバムの詳細）」画面から、「Ｇｅｔ  ｎｅｗ（新たに入手する）：Ａｌｂｕｍ  ｂｅｉｎｇ  ｄｏｗｎｌｏａｄｅｄ（アルバムダウンロード中）」画面に、あるいは「Ｇｅｔ  ｎｅｗ（新たに入手する）：Ｔｒａｃｋ  ｂｅｉｎｇ  ｄｏｗｎｌｏａｄｅｄ（曲をダウンロード中）」に進む。
【００６１】
図２６は「Ｎｅｗ  ｔｒａｃｋｓ（新しい曲）」を示している。ユーザは「Ｇｅｔ  ｎｅｗ（新たに入手する）」のメインメニューから「Ｔｏｐ  ｔｒａｃｋｓ（トップ曲）」のメニューに、続いて「Ｔｒａｃｋ  ｌｉｓｔ（曲リスト）」画面に、そして最終的に「Ｇｅｔ  ｎｅｗ（新たに入手する）：Ｔｒａｃｋ  ｂｅｉｎｇ  ｄｏｗｎｌｏａｄｅｄ（曲をダウンロード中）」にナビゲートすることができる。
【００６２】
図２７ａ及び２７ｂは「Ｎｅｗ  ｐｌａｙｌｉｓｔ（新しいプレーリスト）」を示している。図２７ａでは、ユーザは「Ｇｅｔ  ｎｅｗ（新たに入手する）」のメインメニューから「Ｇｅｔ  ｎｅｗ（新たに入手する）：Ｎｅｗ  ｐｌａｙｌｉｓｔｓ（新しいプレーリスト）」メニューに進み、次に「Ｇｅｔ  ｎｅｗ（新たに入手する）：Ｔｏｐ  ｐｌａｙｌｉｓｔｓ（トッププレーリスト）」メニューに、そして「Ｇｅｔ  ｎｅｗ（新たに入手する）：Ｐｌａｙｌｉｓｔｓ  ｄｅｔａｉｌ（プレーリストの詳細）」画面に移動する。図２７ｂは図２７ａから続いている。図２７ａの「Ｇｅｔ  ｎｅｗ（新たに入手する）：Ｐｌａｙｌｉｓｔ  ｄｅｔａｉｌｓ（プレーリストの詳細）」から、ユーザは「Ｇｅｔ  ｎｅｗ（新たに入手する）：Ｐｌａｙｌｉｓｔ  ｂｅｉｎｇ  ｄｏｗｎｌｏａｄｅｄ（プレーリストをダウンロード中）」、あるいは「Ｇｅｔ  ｎｅｗ（新たに入手する）：Ｔｒａｃｋ  ｂｅｉｎｇ  ｄｏｗｎｌｏａｄｅｄ（曲をダウンロード中）」に進む。
【００６３】
図２８は「Ｌａｔｅｓｔ  ｃｈａｒｔｓ（最新チャート）」を示している。ユーザは「Ｇｅｔ  ｎｅｗ（新たに入手する）」のメインメニューから「Ｇｅｔ  ｎｅｗ（新たに入手する）：Ｌａｔｅｓｔ  ｃｈａｒｔｓ（最新チャート）」メニューに、そして「Ｇｅｔ  ｎｅｗ（新たに入手する）：Ｐｏｐ  ｃｈａｒｔ（ポップチャート）」画面に、最終的に「Ｇｅｔ  ｎｅｗ（新たに入手する）：Ｔｒａｃｋ  ｂｅｉｎｇ  ｄｏｗｎｌｏａｄｅｄ（曲をダウンロード中）」画面にナビゲートできる。
【００６４】
図２９は「Ｄｏｗｎｌｏａｄｉｎｇ（ダウンロード）」を示している。ユーザは「Ｇｅｔ  ｎｅｗ（新たに入手する）」のメインメニューから「Ｇｅｔ  ｎｅｗ（新たに入手する）：Ｄｏｗｎｌｏａｄｉｎｇ（ダウンロード）」メニューに、そして「Ｇｅｔ  ｎｅｗ（新たに入手する）：Ｄｏｗｎｌｏａｄ  ｃａｎｃｅｌｌｅｄ（ダウンロード取り消し）」画面にナビゲートすることができる。
【００６５】
異なる実施形態の画面の流れ及びライフサイクルがこれから続く。これは図３０から図７９が含む。
【００６６】
図３０は「Ｍｅｄｉａ  Ｃｅｎｔｒｅ  Ｍｕｓｉｃ  Ｍｅｎｕ（メディアセンタ・音楽メニュー）」という名の画面を示している。メディアセンタ・音楽メニューは、Ｊ２ＭＥミュージックステーション（ＭｕｓｉｃＳｔａｔｉｏｎ）のアプリケーションを起動させる“Ｈｏｏｋ”を持っている。
【００６７】
図３１は「Ｓｐｌａｓｈ  Ｓｃｒｅｅｎ（スプラッシュ画面）」という名の画面を示している。スプラッシュ画面は、ミュージックステーションを起動させる際に発生し得る遅延に気付かないようにする。ブランドを表示することはミュージックステーションの起動アプリケーションで行うことができるため、ここでオペレータにブランドを示す必要はない。アプリケーションにブランドを示すために半透明のイメージを矢印で示された場所にロードする機能があっても良い。
【００６８】
図３２は「ＭｕｓｉｃＳｔａｔｉｏｎ  Ｍａｉｎ  Ｍｅｎｕ（ＭＭ）（ミュージックステーションメインメニュー）」という名の画面を示している。ミュージックステーションのＭＭは、無制限音楽の発見、ダウンロード、及びソーシャルネットワーキングの第１入口であり得る。ユーザはこの画面から音楽を検索したり、最新の音楽ニュースを読んだり、音楽を発見したり、新しい友達を作ったり、ダウンロードを管理することができる。Ｎａｖｉｇａｔｉｏｎ  ｈｉｓｔｏｒｙ（ナビゲーション履歴）は、メディアセンタの行動を追跡し、ユーザによるメニュー構造における進み方を記録する。言語に関しては、ユーザがアプリケーションを起動して「Ｏｐｔｉｏｎｓ（オプション）」において言語を明確に指定しなかった場合は、携帯電話の言語を確認し、その言語がミュージックステーションで提供される場合はその確認された言語を使用する。もしその言語が提供されていない場合は、ＪＡＤからのデフォルトＤＥＦ＿ＬＡＮを用いる。その言語パックが提供されない場合は英語にデフォルトされる。メニューの項目は「Ｒｅｓｕｍｅ（再開）」、「Ｓｅａｒｃｈ（検索）」、「Ｈｏｔ  ｎｅｗｓ（話題のニュース）」、「Ｄｉｓｃｏｖｅｒ（発見）」、「Ｆｒｉｅｎｄｓ（友達）」、「Ｄｏｗｎｌｏａｄｓ（ダウンロード）」、及び「Ｏｐｔｉｏｎｓ（オプション）」を含み得る。
【００６９】
図３３は「Ｔｅｃｈｎｉｃａｌ  Ｒｅｇｉｓｔｒａｔｉｏｎ（技術的登録）」という名の画面を示している。ミュージックステーションのアプリケーションを最初に起動するとき、該アプリケーションはクライアントをサーバに技術的に登録することを試み得る。すると、次の画面が表示される（図３４）。
【００７０】
図３４は「Ｅｘｉｔ  ｌｏｇｉｃ（終了ロジック）」という名の画面を示している。図３４は終了時のミュージックステーション・アプリケーションの動作を説明している。「終了を引き起こす」に関しては、この終了ロジックは、
−ユーザによる、メインメニューの「Ｂａｃｋ（戻る）」の押下、
−ミュージックステーションのヘルパが起動し、待機中のダウンロードを開始し、目に見えないように終了させるようにミュージックステーションに指示、
−赤キーを捕まえる（Ｃａｔｃｈｉｎｇ  ｔｈｅ  ｒｅｄ  ｋｅｙ）、
ことで引き起こされ得る。
【００７１】
図３４に関するコメント：
−ＷＡＩＴ＿ＥＸＩＴアップデート可能なＯＴＡ（無線通信）−このロジック中にアプリケーションが起動されると、これにスムーズに対応できる。
−ハイライトされたメニュー項目は、メインメニューに出入りするとき記憶される。音楽を管理するためにユーザがメディアセンタの音楽メニューに出る時（「戻る」またはジョイスティックの左）にミュージックステーションのメインメニューにおいて最後にハイライトされたメニュー項目は、ユーザが再びメインメニューに入る時ハイライトされ、ユーザのナビゲーションの流れに継続性をもたらす。
【００７２】
図３５は「Ｍａｉｎ  Ｍｅｎｕ  ｓｅａｒｃｈ（メインメニュー検索）」という名の画面を示している。この画面は、「検索」項目がハイライトされた時のミュージックステーションの動作を説明している。検索フィールドに関して：この文字入力検索フィールドの動作は、電話のＷＡＰブラウザのウェブアドレスボックス（ＷＡＢ）の動作と同じように動作し、装置全体のＵＩに継続性をもたらす。「検索」がハイライトされると、ボックスはキーパッドによる文字入力が可能になる。フィールドは空であり（前回の入力がない場合）、カーソルはＷＡＢの点滅速度と同様な速度で点滅する。ユーザが他の場所をナビゲートすると、入力フィールドは自動的にクリアされない。入力フィールドは、前回の文字又は検索内容を記憶する。“Ｅｇｇ−Ｔｉｍｅｒ”に関して：検索中に“Ｅｇｇ−Ｔｉｍｅｒ”グラフィックが動画表示され、ＲＳＫが“Ｃａｎｃｅｌ（取り消し）”に変わる。検索中には、ユーザによる他のナビゲーションやキー入力を行うことはできないが、検索を取り消すことはできる。マルチタップ表示に関して：これは一部のメーカによる電話に含まれたＷＡＢに似ており、このフィールドに入力するとマルチタップ表示はどのキーが押下されているかを示す動画を表示する。図示されたマルチタップは逆ハイライトされても良い（例えば、１文字だけをハイライトする）。図３５に関するコメント：“ｃ”キーを押下し続けると、全ての検索タームを削除することになる。
【００７３】
図３６は「Ｓｅａｒｃｈ  ｒｅｓｕｌｔｓ  Ｓｕｍｍａｒｙ（検索結果の概要）」という名の画面を示している。この画面は、メインメニューで検索をリクエストしてした後の最初の検索結果の様子を説明している。「Ｎｏ  Ｒｅｓｕｌｔｓ（結果なし）」に関して：検索から結果が得られない場合はポップアップメッセージが表示される。「ＯＫ」を押すとメインメニューに戻り、サーチ項目がハイライトされ、すぐに編集できるようになる。「Ｓｃｒｅｅｎ  Ｓｕｍｍａｒｙ（画面の概要）」に関して：検索タームからの結果が示される。結果の全体的な数が表示され、次の分類に分かれる：
−アーティスト［総計］
−アルバム［総計］
−曲［総計］。
【００７４】
各分類の最上位の２項目は、その分類の下にリストされる。分類を選択すると、その下にアーティスト結果、アルバム結果又は曲結果がそれぞれ表示される。
【００７５】
図３６に関するコメント：検索結果は、表示されている検索タームと検索結果に対する全体的な結果とともにパネルに示される。検索概要パネルは検索結果をアーティスト、アルバム、そして曲の３つの分類に分ける。各分類の結果総数はかっこ内に示される。最上位の２項目は３つの分類の表題の下にそれぞれ表示される。３つの分類のいずれかにおいて検索結果が得られなかった場合は、その項目は表示されない。例えば、曲の検索結果だけが得られた場合は、アーティスト（０）及びアルバム（０）は画面から省略され、曲（ｘ）及び検査結果の最上位の２曲だけが残される。検索結果から結果が得られないという珍しい出来事が発生した場合、用いられた検索タームから結果が得られなかったということがポップアップで説明され、ユーザは検索ハイライト項目に戻され、文字入力を編集できるようになる。「Ｂａｃｋ（戻る）」を押すことでミュージックステーションのメインメニューに戻ることになり、検索タームがハイライトされ、ユーザによって編集及び調節できるようになる。項目が全て画面に表示できない場合は、スクロールバーが表示される。いずれの分類も、例えば最大５０項目の検査結果に限られており、全体的に合計１５０の結果項目を可能とする。
【００７６】
図３７は「Ａｒｔｉｓｔ  Ｒｅｓｕｌｔｓ（アーティスト結果）」という名の画面を示している。この画面は、検索から得られたアーティストのリストを示す画面である「Ａｒｔｉｓｔ  Ｒｅｓｕｌｔｓ」画面の作用を説明する。図３７に関するコメント：項目が全て画面に表示できない場合は、スクロールバーが表示される。いずれの分類も、例えば最大５０項目の検査結果に限られており、全体的に合計１５０の結果項目を可能とする。
【００７７】
図３８は「Ａｌｂｕｍ  Ｒｅｓｕｌｔｓ（アルバム結果）」という名の画面を示している。この画面は、検索から得られたアルバムリストを示す画面である「Ａｌｂｕｍ  Ｒｅｓｕｌｔｓ（アルバム結果）」画面の作用を説明する。図３８に関するコメント：項目が全て画面に表示できない場合は、スクロールバーが表示される。いずれの分類も、例えば最大５０項目の検査結果に限られており、全体的に合計１５０の結果項目を可能とする。
【００７８】
図３９は「Ｔｒａｃｋ  Ｒｅｓｕｌｔｓ（曲結果）」という名の画面を示している。この画面は検索から得られた曲リストを示す画面である「Ｔｒａｃｋ  Ｒｅｓｕｌｔｓ（曲結果）」画面の作用を説明する。ダウンロードのポップアップに関しては、ユーザが「Ｄｏｗｎｌｏａｄ」にクリックするとこのポップアップが表示され、曲がダウンロードに追加される。このポップアップは一時的なものであり、時間がたつと消える。図３９に関するコメント：項目が全て画面に表示できない場合は、スクロールバーが表示される。いずれの分類も、例えば最大５０項目の検査結果に限られており、全体的に合計１５０の結果項目を可能とする。
【００７９】
図４０は「Ａｄｄ  ｔｏ  Ｄｏｗｎｌｏａｄｓ（ダウンロードに追加）」という名の画面を示している。これは、ユーザが曲の「Ｄｏｗｎｌｏａｄ」をクリックした後に、ユーザに表示するための一時的なポップアップである。これは、設定可能である数ミリ秒後に消える。
【００８０】
図４１ａ及び４１ｂは「Ａｒｔｉｓｔ  ｐａｎｅｌ  （アーティストのパネル（選択された項目なし））」という名の画面を示している。これらの図面は、選択されたアルバム又は選択された曲（図４２を参照）がない状態で開かれたアーティストパネルの作用を説明する。図４１ａにおける画面概要に関して：アーティストの集合作品、このアーティストを聴くユーザのトップリスト、及び似たアーティストは次の項目内に含まれる。
−「Ｔｏｐ  Ｔｒａｃｋｓ（トップ曲）」（ｘ）−ミュージックステーションユーザが聴いているアーティストのトップ曲をリストする
−「Ａｌｂｕｍｓ（アルバム）」（ｘ）−アーティストによって発売された全てのアルバムをリストする
−「Ｗｈｏ’ｓ  ｌｉｓｔｅｎｉｎｇ（聴いているユーザ）」−アーティストを聴いている、ミュージックステーションのトップユーザをリストする（現在聴いているか否か）
−「Ｍｏｒｅ  ｌｉｋｅ  ｔｈｉｓ（似たようなもの）」−現在のアーティストに似たアーティストをリストする。
【００８１】
各分類の最上位の２項目は夫々の分類表題の下にリストされ、ミュージックステーションの内容を素早く閲覧できるようにする。アイコンに関して：これらのアイコンはこれらのオブジェクトのデフォルトアイコンである。「Ｔｏｐ  Ｔｒａｃｋｓ（トップ曲）」に関して：この画面は、アーティストのアルバム／販売物のリストを表示する。また、選択されたアルバムのアルバムパネルを開く。「Ｗｈｏ’ｓ  ｌｉｓｔｅｎｉｎｇ（聴いているユーザ）」に関して：この画面は、現在のアーティストを聞いた最近のユーザ（例えば１０名まで）のリストを示す。また、「Ｆｒｉｅｎｄ（友達）」パネルを開く。「Ｍｏｒｅ  ｌｉｋｅ  ｔｈｉｓ（似たようなもの）」に関して：この画面は、現在のアーティストに似ているアーティスト（例えば１０名まで）のリストを示す。また、選択されたアーティストの「Ａｒｔｉｓｔ  Ｐａｎｅｌ（アーティストのパネル）」を開く。「Ａｌｂｕｍ  Ｐａｎｅｌ（アルバムのパネル）」に関して：この画面は選択されたアルバムの曲を示している。ソフトキーは１つの曲。
【００８２】
図４１ｂは「Ｓｏｆｔｋｅｙｓ（ソフトキー）：Ｔｏｐ  ｔｒａｃｋ、Ａｌｂｕｍｓ，  Ｗｈｏ’ｓ  ｌｉｓｔｅｎｉｎｇ  ｏｒ  Ｍｏｒｅ  ｌｉｋｅ  ｔｈｉｓ（トップ曲、アルバム、聴いているユーザ、または似たようなもの）」を示している。
【００８３】
図４１ａ及び４１ｂに関するコメント：文章が画面の限度を超える場合は、短い間停止してからアーティスト名がスクロールする。選択されたアーティストのイメージは好ましくはアーティストの最新のもの又は編集によって選択されたものである。アーティストの星評価は、そのアーティストのミュージックステーションサービスにおける人気によって生成される。アーティストのジャンルはアーティストの主なジャンルである。「ＬＳＫ  Ｏｐｔｉｏｎｓ」メニューは拡張された機能を可能にする。これは、友達に曲を送ったり、曲をユーザのプロファイルに「Ｍｙ  Ｓｏｎｇ（私の曲）」として加える機会を与える。ＯＴＡデータ設定は「Ｂｕｙ  ｉｔｅｍ（項目を購入）」の表示を「ＬＳＫ  Ｏｐｔｉｏｎ」メニューにおいて制御し、ミュージックステーションのアリーナ又はオペレータのポータル曲に反応するリンク（ＷＡＰの立ち上げ）を回顧的に追加することを可能にする。
【００８４】
図４２ａ、４２ｂ及び４２ｃは「Ａｒｔｉｓｔ  Ｐａｎｅｌ（アーティストのパネル）」という名の画面を示している。これらの図は、選択されたアルバム又は選択された曲（図４２を参照）がある状態（即ち、ユーザはアルバム又は曲をクリックして開く）で開かれたアーティストパネルの作用を説明する。選択されたアルバム／曲はパネルの最上に表示される。
【００８５】
図４２ａのＡｌｂｕｍ  Ｐａｎｅｌ（アルバムのパネル）に関して：この画面は選択されたアルバムの曲を示している。ソフトキーは１つの曲。図４２ｂの「Ｄｏｗｎｌｏａｄ  Ｐｏｐｕｐｓ（ダウンロードのポップアップ）」に関して：これらのポップアップは選択された曲の進行又は履歴に依存して表示される様々なメッセージを表している。
【００８６】
図４２ａ、４２ｂ、４２ｃに関するコメント；ソフトキーは、「Ａｒｔｉｓｔ  Ｐａｎｅｌ」のアルバム及び曲のソフトキーのようなものである。「ＬＳＫ  Ｏｐｔｉｏｎｓ」メニューは拡張された機能を可能にする。これは、友達に曲を送ったり、曲をユーザのプロファイルに「Ｍｙ  Ｓｏｎｇ（私の曲）」として加える機会を与える。ＯＴＡデータ設定は「Ｂｕｙ  ｉｔｅｍ（項目を購入）」の表示を「ＬＳＫ  Ｏｐｔｉｏｎ」メニューにおいて制御し、ミュージックステーションのアリーナ又はオペレータのポータル曲に反応するリンク（ＷＡＰの立ち上げ）を回顧的に追加することを可能にする。
【００８７】
図４３は「Ａｌｂｕｍ  Ｐａｎｅｌ（アルバムのパネル）」という名の画面を示している。この図は「Ａｌｂｕｍ  Ｐａｎｅｌ（アルバムのパネル）」の作用を説明する。「Ａｌｂｕｍ  Ｐａｎｅｌ（アルバムのパネル）」は、販売されたアルバムに現れる曲を表示する。図４３に関するコメント：「Ｏｐｔｉｏｎｓ（オプション）」メニューには、アルバム全体をダウンロードできる追加的なオプションが挿入される。他のオプションは各曲のオプションのようなものである。
【００８８】
図４４は「Ｓｅｎｄ  Ｔｏ  Ｆｒｉｅｎｄ（友達に送る）」という名の画面を示している。この図は「Ｓｅｎｄ  Ｔｏ  Ｆｒｉｅｎｄ（友達に送る）」の作用を説明する。この画面はユーザの現在の友達を全てリストし、どの友達に曲を送るかを選択させる。「Ｓｅｎｄｉｎｇ（送る）」のポップアップに関して：ユーザが「Ｓｅｎｄ（送る）」をクリックするとこのポップアップが表示され、選択された友達に曲が送られる。このポップアップは一時的なものであり、数ミリ秒（設定可能）後に消える。図４４ではエラー画面が可能である：この画面は「Ｙｏｕ  ｍｕｓｔ  ｃｒｅａｔｅ  ａ  ｐｒｏｆｉｌｅ  ｉｎ  ｔｈｅ  Ｆｒｉｅｎｄｓ  ｍｅｎｕ（友達のメニューにおいてプロファイルを作成してください）」と表示される。これは、まずプロファイルを作成して友達を追加しなければならないからである：前画面に「Ｄｉｓｍｉｓｓ（却下）」を送る前に友達を追加しなければならない。 図４４に関するコメント：複数の友達を選択又は除外できる。「Ｓｅｎｄ（送る）」を押すと、送信を確認する一時的ポップアップが表示される。友達が表示されない場合はＬＳＫ  Ｓｅｎｄはグレーになり、不活性になる。
【００８９】
図４５は「Ｍａｉｎ  Ｍｅｎｕ  Ｈｏｔ  Ｎｅｗｓ（メインメニュー話題のニュース）」という名の画面を示している。この画面はミュージックステーションのメインメニューにおける「Ｈｏｔ  ｎｅｗｓ（話題のニュース）」の作用を説明する。ナビゲーションハイライトについて：ナビゲーションハイライトのバックグラウンドとなるイメージは動的である。アプリケーションが１つ以上のイメージを持つ場合は、存在するイメージを例えば５秒ごとに回転させる。新しいイメージはＯＴＡダウンロードでき、古いイメージは取り下げられる。
【００９０】
図４６ａ及び４６ｂは「Ｈｏｔ  Ｎｅｗｓ（話題のニュース）」という名の画面を持つパネルに関する。この画面は、ミュージックステーションのユーザにＯＴＡを介して配達、表示される、編集者によって作成された音楽ニュースを説明する。ニュースは内蔵され、夫々のニュースに関連するアーティスト、アルバム、曲、プレーリスト、ＷＡＰリンク及びミュージックステーションのユーザが表示される。図４６ａのナビゲーションパネルに関して：ナビゲーションパネルのボックスは、現在利用できるニュースの数を示し、ハイライトされたボックスは現在どのニュースが表示されているかを示す。ジョイスティックの左右入力によって、各ニュース項目をスクロールできる。クリックした状態を保持すると、スクロールはリストの端部で停止する。リストの右端又は左端においてクリックすると、反対側の端にある次の項目が選択される。左右のパネルナビゲーションを用いてニュースを見るときは、ニュースの最上部が必ず表示される。画面概要に関して：これらのニュースは選択された注目のリンクを含む：
−Ａｒｔｉｓｔ（アーティスト）：リンクされたアーティストパネルを開く。
−Ａｌｂｕｍ（アルバム）：選択されたアルバムに関連するアーティストパネルにリンクされたアルバムを開く。
−Ｔｒａｃｋ（曲）：選択されたアルバムに関連するアーティストパネルにリンクされた曲を開く。
−Ｐｌａｙｌｉｓｔｓ（プレーリスト）：リンクされたプレーリストのパネルを開く。
−ＷＡＰ  Ｌｉｎｋｓ：ハンドセットのブラウザにリンクされたＵＲＬを開く。
−Ｕｓｅｒ（ユーザ）：関連するユーザプロファイルパネルにリンクされたユーザを開く。
【００９１】
スクロールバーに関して：スクロールバーは現在のニュースの表示された部分を示す。ジョイスティックを上下に動かすことで、ニュースの文章をスクロールし、その中に含まれるリンクに到達すると１つずつ下線を加えてハイライトする。クリックした状態を保持するとニュースの最上端及び最下端にまでスクロールし、停止する。端部においてスクロール入力しても反対端部には戻らず、入力は無視される。ニュースに入ったときリンクが表示されている場合はそのリンクをハイライトする。
【００９２】
図４６ａ及び４６ｂに関するコメント：ブラウザのＷＡＰリンクを開くことは、製造者の署名を用いてユーザの許可プロンプトを除去する。Ｈｏｔ  Ｎｅｗｓ（話題のニュース）は、熟練の編集者によって作られ、ニュースで言及された、関連性のある全てのアーティスト、アルバム、曲、プレーリスト、ＵＲＬ、又はユーザプロファイルへのリンクが含まれる。これらの内容はＯＴＡを介してダウンロードされ、毎週アップデートされる。常に最多１２項目が保存されている。ニュースは、例えば最大１０００文字を含むことができる。中央のソフトキー（ＭＳＫ）は、リンクが選択／ハイライトされていない場合は無効である。既に読んだニュースは、Ｈｏｔ  Ｎｅｗｓ（話題のニュース）から出る時（メインメニューに戻る時）に記憶され、次にＨｏｔ  Ｎｅｗｓに入る時呼び出される。
【００９３】
図４７は「Ｍａｉｎ  Ｍｅｎｕ  Ｄｉｓｃｏｖｅｒ（メインメニュー：発見）」という名の画面を示している。この画面は、ミュージックステーションのメインメニューにおける「Ｄｉｓｃｏｖｅｒ（発見）」項目を説明する。ナビゲーションハイライトに関して：ナビゲーションハイライトのバックグラウンドになるイメージは静的であるが、ＯＴＡを介して取り換えられる。図４７に関するコメント：Ｓｅｌｅｃｔ  ＭＳＫを選択、またはジョイスティックの右をクリックすると「Ｄｉｓｃｏｖｅｒ（発見）」メニューが開かれる。
【００９４】
図４８は「Ｄｉｓｃｏｖｅｒ（発見）」という名の画面を持つメニュー画面を示している。この画面は発見メニューの作用及びその画面からアクセスできる機能を説明する。メニューの項目は「Ｔｒａｃｋ  ＩＤＴＭＣｈａｒｔ（曲ＩＤチャート）」、「Ｌａｔｅｓｔ  Ｃｈａｒｔｓ（最新チャート）」、「Ｂｒｅａｋｉｎｇ  Ａｒｔｉｓｔｓ（ブレーク中のアーティスト）」、「Ｔｏｐ  Ａｒｔｉｓｔｓ（トップアーティスト）」、「Ｔｏｐ  Ａｌｂｕｍｓ（トップアルバム）」、「Ｔｏｐ  Ｔｒａｃｋｓ（トップ曲）」、及び「Ｔｏｐ  Ｐｌａｙｌｉｓｔｓ（トップのプレーリスト）」である。ナビゲーションハイライトに関して：ナビゲーションハイライトのバックグラウンドになるイメージは静的であるが、ＯＴＡを介して取り換えられる。これは、全ての同様なナビゲーションハイライトに対して同じである（メインメニューのＨｏｔ  Ｎｅｗｓは除く）。サブタイトルのハイライトに関して：ハイライトされるとサブタイトルはいつも空である。図４８に関するコメント：Ｔｒａｃｋ  ＩＤＴＭ  Ｃｈａｒｔｓ  ＆  Ｂｒｅａｋｉｎｇ  Ａｒｔｉｓｔｓ以外の全ての項目は、サービスを使用するミュージックステーションユーザの音楽趣向によって決定される、自動的に生成されたセットであり、毎週アップデートされる。
【００９５】
図４９は「Ｔｒａｃｋ  ＩＤ  Ｃｈａｒｔｓ（曲ＩＤチャート）」という名の画面を示している。この画面は「Ｔｒａｃｋ  ＩＤ  Ｃｈａｒｔｓ」メニューの作用を説明する。これは、異なる領域においてＴｒａｃｋ  ＩＤを用いて同定されるトップ曲の一覧をユーザに提供する。
【００９６】
図５０は「Ｔｒａｃｋ  ＩＤ  Ｃｈａｒｔ（曲ＩＤチャート）」という名の画面を示している。この画面は選択された領域のＴｒａｃｋ  ＩＤ  Ｃｈａｒｔメニューを示す。サブタイトルのハイライトに関して：ハイライトされた曲のアーティストを表す。曲名又はアーティスト名が表示しきれない場合は、ハイライトされたとき自動的にスクロールする。図５０に関するコメント：曲は、Ｔｒａｃｋ  ＩＤサービスにおける順位及び人気を示す数字を曲名の前に付けて表示される。表示された曲は、関連するユーザの国においてその曲が購入可能であることを確かめるために、カタログに対して確認される。確認ができないものはチャートから外され、購入できないものが表示されることははい。したがって、曲に与えられた数字は連続的でなくても良い。「Ｔｒａｃｋ  ＩＤ  Ｃｈａｒｔ」は例えば最大４０項目を含み得る。
【００９７】
図５１は「Ｃｈａｒｔ（チャート）」という名の画面を示している。この画面は「Ｄｉｓｃｏｖｅｒ（発見）」におけるチャートのメニュー項目の作用を示す。メニュー項目は「ＭｕｓｉｃＳｔａｔｉｏｎ（ミュージックステーション）」、「Ｐｏｐ（ポップ）」、「Ｒｏｃｋ（ロック）」、「Ａｌｔｅｒｎａｔｉｖｅ（オルターナティブ）」、「Ｄａｎｃｅ（ダンス）」、「Ｒ＆Ｂ／Ｒａｐ（Ｒ＆Ｂ／ラップ）」がある。「ハイライトサブタイトル」に関して：サブタイトルは表示されていない。図５１に関するコメント：これらはミュージックステーションの領域における曲の再生に基づいて自動生成されており、第一ジャンルによって整理されている。購入可能なチャート、タイトル、イメージの定義、及びどのチャートがリンクされているかは全てＯＴＡを介してアップデートできる。チャートリストは例えば最大４０曲を含み得る。ミュージックステーションチャートは主なサービスチャートであり、例えば毎週の人気順位の例えばトップ４０曲を含む。
【００９８】
図５２は「Ｃｈａｒｔ（チャート）」という名の画面を示している。この画面はチャートの作用を説明する。「ダウンロードポップアップ」に関して：ユーザが「Ｄｏｗｎｌｏａｄ」をクリックするとこのポップアップが表示され、曲は「Ｄｏｗｎｌｏａｄｓ」に追加される。このポップアップは一時的なものであり、時間がたつと消える。「ハイライトサブタイトル」に関して：これはハイライトされた曲のアーティストを示す。図５２に関するコメント：曲は、サービスにおける順位及び人気を示す数字を曲名の前に付けて表示される。チャートは例えば最大４０項目を含み得る。チャートは定期的に（例えば、毎週）生成され、ミュージックステーションサービスに存在するセット及びジャンルで整理されたもっとも人気のある曲を表す。現在の音楽傾向の最も最新状況を示すものである。
【００９９】
図５３ａ及び５３ｂは「Ｂｒｅａｋｉｎｇ  Ａｒｔｉｓｔｓ（ブレーク中のアーティスト）」という名の画面を示している。この画面は、ＯＴＡを介してミュージックステーションのユーザに配達される、編集者によって書かれた人気上昇の新人アーティストに関するニュースを説明する。ブレーク中のアーティストに関するニュースはアーティスト、アルバム、曲、プレーリスト、ＷＡＰリンク及び各ニュースに内蔵され、関連性を持つミュージックステーションのユーザへのリンクを含む。ジョイスティックの左右の入力は「Ｂｒｅａｋｉｎｇ  Ａｒｔｉｓｔ」の各項目を通るようにスクロールする。クリックした状態を保持すると、スクロールはリストの端部で停止する。リストの右端又は左端においてクリックすると、反対側の端にある次の項目が選択される。左右のパネルナビゲーションを用いてブレーク中のアーティストを見るときは、その内容の最上部が必ず表示される。画面概要に関して：これらのブレーク中のアーティストのレビュー／プロファイルは選択された注目のリンクを含む。
−Ａｒｔｉｓｔ（アーティスト）：リンクされたアーティストパネルを開く。
−Ａｌｂｕｍ（アルバム）：選択されたアルバムに関連するアーティストパネルにリンクされたアルバムを開く。
−Ｔｒａｃｋ（曲）：選択されたアルバムに関連するアーティストパネルにリンクされた曲を開く。
−Ｐｌａｙｌｉｓｔｓ（プレーリスト）：リンクされたプレーリストのパネルを開く。
−ＷＡＰ  Ｌｉｎｋｓ：ハンドセットのブラウザにリンクされたＵＲＬを開く。
−Ｕｓｅｒ（ユーザ）：関連するユーザプロファイルパネルにリンクされたユーザを開く。
【０１００】
図５３ａ及び５３ｂに関するコメント：「Ｂｒｅａｋｉｎｇ  Ａｒｔｉｓｔ（ブレーク中のアーティスト）」は「Ｈｏｔ  Ｎｅｗｓ」に似ている。これは編集者によって書かれているが、世界的に又は関連する領域において現在人気のある新人又はブレーク中のアーティストに焦点を合わせたものである。ここに含まれるリンクは典型的にはブレーク中のアーティストに関連するものであるが、そのアーティストに関連する他のアーティスト又は他の種類のリンクでもよい。１回に保存できるブレーク中のアーティストは、例えば１２人である。
【０１０１】
図５４は「Ｔｏｐ  Ａｒｔｉｓｔｓ（トップアーティスト）」という名の画面を示している。この画面は「Ｔｏｐ Ａｒｔｉｓｔｓ」メニューの項目の作用を説明する。この画面は「Ａｒｔｉｓｔ  Ｐａｎｅｌ」として表示される、アーティストの制御されたセットであり、パネルナビゲーションコントロールの下に表示される。「ハイライトサブタイトル」に関して：ハイライトされたアーティストのジャンルを示す。図５４に関するコメント：他の「Ｔｏｐ」リストと同様に、この画面はミュージックステーションにおける今まで最も人気のある項目を表している。アーティストのアートワークイメージがあれば表示されるが、なければデフォルトのアルバムイメージが表示される。
【０１０２】
図５６は「Ｔｏｐ  Ｔｒａｃｋｓ（トップ）」という名の画面を示している。この画面は、ミュージックステーションサービスにおいて今まで最も人気のある曲を表す「Ｔｏｐ  Ｔｒａｃｋ」を説明する。「ダウンロードポップアップ」について：ユーザが「Ｄｏｗｎｌｏａｄ」にクリックするとこの画面が表示され、ダウンロードリストに選択された曲が追加される。このポップアップは一時的なものであり、時間がたつと消える。「ハイライトサブタイトル」に関して：ハイライトされた曲のアーティストを示す。また、選択された曲画面を持つ「Ａｒｔｉｓｔ」パネルも閉められている。図５６に関するコメント：他の「Ｔｏｐ」リストと同様に、この画面はミュージックステーションにおける今まで最も人気のある項目を表している。
【０１０３】
図５７は「Ｔｏｐ  Ｐｌａｙｌｉｓｔｓ（トップのプレーリスト）」という名の画面を示している。この画面は、ミュージックステーションサービスにおける、編集者によって作られたトップのプレーリストを説明する。「ハイライトサブタイトル」に関して：これは、ハイライトされたプレーリストの曲の総数を示す。図５７に関するコメント：選択されたプレーリストはダウンロードでき、該プレーリストを開くことでユーザのメディアセンタの音楽メニューのプレーリストに保存できる。できればカスタムプレーリストのアイコンが表示されるが、そうでなければデフォルトのプレーリストのアイコンが表示される。
【０１０４】
図５８は「Ｐｌａｙｌｉｓｔ  Ｐａｎｅｌ」という名の画面を示している。この画面は、ミュージックステーションサービスにおいて編集者によって作られたトップのプレーリストを表すプレーリストの内容を説明する。「ダウンロードポップアップ」に関して：ユーザが「Ｄｏｗｎｌｏａｄ」をクリックするとこのポップアップが表示され、ダウンロードリストに選択された曲が追加される。このポップアップは一時的なものである。図５８に関するコメント：オプションメニューにおいて「Ｄｏｗｎｌｏａｄ  ｐｌａｙｌｉｓｔ（プレーリストをダウンロード）」を選択することで、プレーリストはその全体をＭ３Ｕファイルとしてメディアセンタの音楽メニューのユーザによるプレーリストに直接保存できる。
【０１０５】
図５９は「Ｍａｉｎ  Ｍｅｎｕ  Ｆｒｉｅｎｄｓ（メインメニュー友達）」という名の画面を示している。この画面は、ミュージックステーションのメインメニューにおける「Ｆｒｉｅｎｄｓ（友達）」項目の作用を説明する。「ナビハイライト」に関して：「ナビハイライト」の背景にあるイメージは静的であるが、ＯＴＡを介して変えることができる。図５９に関するコメント：「Ｓｅｌｅｃｔ  ＭＳＫ（ＭＳＫを選択）」をクリックすること、又はジョイスティックの右をクリックすることで「Ｆｒｉｅｎｄｓ（友達）」メニューが開くようになる。
【０１０６】
図６０は「Ｆｒｉｅｎｄｓ  Ｍｅｎｕ（友達メニュー）」という名の画面を示している。この画面は友達メニューの作用及びそれによってアクセスできる機能を説明する。「ユーザがプロファイルを持っていない場合はメッセージを表示する」に関して：この画面は、ユーザがプロファイルを作成せずに、プロファイルを必要とする操作を行おうとするときに表示される。メニュー項目は「Ｉｎｂｏｘ（受信）」、「Ｐｒｏｆｉｌｅ（プロファイル）」、「Ｍｙ  Ｆｒｉｅｎｄｓ（私の友達）」、「Ｓｏｕｌｍａｔｅｓ（気の合う人）」がある。「ハイライトサブタイトル」に関して：ハイライトされるサブタイトルは：
−Ｉｎｂｏｘ（受信）＝“Ｔｏｔａｌ：Ｘ（計：Ｘ）”
−Ｐｒｏｆｉｌｅ（プロファイル）＝“Ｃｒｅａｔｅ／Ｅｄｉｔ  Ｐｒｏｆｉｌｅ（プロファイルを作成／編集）”
−Ｍｙ  Ｆｒｉｅｎｄｓ（私の友達）＝“Ｔｏｔａｌ：Ｘ（計：Ｘ）”
−Ｓｏｕｌｍａｔｅｓ（気の合う人）＝“Ｔｏｔａｌ：Ｘ（計：Ｘ）”。
【０１０７】
図６０に関するコメント：プロファイル項目のサブタイトルはユーザによって作成されたプロファイルの内容によって異なる。プロファイルが作成されていない場合は、サブタイトルは“Ｃｒｅａｔｅ  Ｐｒｏｆｉｌｅ（プロファイルを作成する）”になる。プロファイルが既に作成されている場合は、サブタイトルは“Ｅｄｉｔ  Ｐｒｏｆｉｌｅ（プロファイルを編集する）”に変わる。
【０１０８】
図６１は「Ｉｎｂｏｘ（受信）」という名の画面を示している。この画面は「Ｉｎｂｏｘ」の作用及びそれによってアクセスできる機能を説明する。「Ａｃｃｅｐｔ  Ｆｒｉｅｎｄ  Ｒｅｑｕｅｓｔ（友達要請を承諾）」について：「Ａｃｃｅｐｔ（承諾）」を押すと一時的なポップアップが表示される。メニュー項目は「Ｔｒａｃｋｓ（曲）」、「Ｆｒｉｅｎｄｓ  Ｒｅｑｕｅｓｔｓ（友達要請）」である。「ハイライトサブタイトル」に関して」：両方のハイライトされるサブタイトルは“Ｔｏｔａｌ：Ｘ（計：Ｘ）”である。「Ｉｎｂｏｘ  Ｔｒａｃｋｓ（受信された曲）」に関して：この画面は友達から送られた曲を示している。この画面において、「Ｄｏｗｎｌｏａｄ」は選択された曲をダウンロードリストに追加し、「Ｓｅｌｅｃｔ（選択）」は、選択された曲のアーティストパネルを開く。「Ｆｒｉｅｎｄ  Ｒｅｑｕｅｓｔｓ（友達要請）」について：この画面は「Ｆｒｉｅｎｄ  Ｒｅｑｕｅｓｔ」を示している。「Ｃ」キーは友達要請を削除し、「Ｓｅｌｅｃｔ（選択）」は友達パネルを開き、「Ａｃｃｅｐｔ（承諾）」は選択されたユーザを承諾し、「Ｍｙ  Ｆｒｉｅｎｄｓ（私のともだち）」に追加する。
【０１０９】
図６１に関するコメント：これはユーザの受信先であり、他のミュージックステーションユーザからの曲及び友達要請を含む。これらのナビゲーションオプションは、含まれる項目がなくても表示される。曲又は友達要請は「Ｃ」キーを押すことで削除できる。削除されたものはポップアップ画面によって確認できる。
【０１１０】
図６２は「Ｐｒｏｆｉｌｅ（プロファイル）」という名の画面を持つが画面を示している。この画面はプロファイル画面の作用及び機能を説明する。この画面において、ミュージックステーションのユーザはプロファイルを作成及びカスタマイズし、友達を作ったり曲を送ったりすることでミュージックステーションのソーシャルネットワーキング機能を探索できる。ユーザはＥａｒｎｅｄ  Ｔｒａｃｋｓ（得られた曲）の総数をここで見ることができる。「最初のエントリ」について：（既に存在するプロファイルに関連付けられていないＳＩＭを用いて）この画面に初めて入ると、画面要素は左に示されている通りである。「Ｅａｒｎｅｄ  Ｔｒａｃｋｓ（得られた曲）」は、ユーザが永久的にアクセスできる曲である。更なる詳細は、参照によって組み込まれるＧＢ０８１７４６０．９及び関連する出願において提供される。
【０１１１】
図６２に関するコメント：ミュージックステーションユーザは、プロファイル名、イメージ、キャッチフレーズ、及び曲を用いて自分のプロファイルを作成及びカスタマイズでき、ミュージックステーションのコミュニティで自分を表すことができる。ユーザが初めてプロファイルページに入ると、プロファイルを作成するようにユーザを案内する、異なる表現が表示される。表示される「Ｐｒｏｆｉｌｅ  Ｎａｍｅ（プロファイル名）」は「Ｐｒｏｆｉｌｅ（プロファイル）」を、「Ｃａｔｃｈ  Ｐｈｒａｓｅ（キャッチフレーズ）」は「Ｕｓｅ  Ｃｒｅａｔｅ  Ｐｒｏｆｉｌｅ  ｔｏ  ｓｅｔ  ｕｐ  ａ  Ｐｒｏｆｉｌｅ（［プロファイルを作成］を用いてプロファイルを設定）」を、「Ｍｙ  Ｔｒａｃｋ（私の曲）」は「Ｎｏ  Ｔｒａｃｋ  ｓｅｌｅｃｔｅｄ（選択された曲なし）」を、夫々下に表示し、プロファイルを編集するオプションとしては「Ｃｒｅａｔｅ  Ｐｒｏｆｉｌｅ（プロファイルを作成）」が表示される。ユーザは自分のプロファイルに曲（私の曲）を追加することができ、これはアーティストパネルのレベルにおいてソフトキーのオプションメニューから「Ｍｙ  ｔｒａｃｋ（私の曲）」を選択することで可能になる。このパネルからアクセスできるもう１つのものは「Ｅａｒｎｅｄ  Ｔｒａｃｋｓ（得られた曲）」である。ユーザは「Ｅａｒｎｅｄ  ｂｙ（〜が得た曲）」リンクを使って自分のメールアドレス（１２８文字まで）を登録し、「Ｅａｒｎｅｄ  Ｔｒａｃｋｓ（得られた曲）」に登録できる。
【０１１２】
図６３は「Ｅｄｉｔ  Ｐｒｏｆｉｌｅ（プロファイルを編集）」という名の画面の画面を示している。この画面はユーザのコミュニティ／友達のプロファイルを作成及び編集できるようにする。図６３に関するコメント：「Ｎａｍｅ（名前）」及び「Ｃａｔｃｈｐｈｒａｓｅ（キャッチフレーズ）」の下には、ユーザがプロファイル名、キャッチフレーズ、又はイメージを編集できるボックスがある。ユーザのキャッチフレーズ及びイメージは自由に変えられる。名前は例えば９６文字まで許可され、ユーザのキャッチフレーズは例えば２５６文字まで許可される。
【０１１３】
図６４は「Ｐｒｏｆｉｌｅ  ｉｍａｇｅ（プロファイルイメージ）」という名の画面を示している。この画面は、ユーザが複数のイメージから選択できる、プロファイルイメージ画面の作用を説明している。図６４に関するコメント：カーソル選択ロジックは、イメージの標準装置ロジックと同様に作用する。例えば、１行目の４列目の位置においてジョイスティックの右を押すと、２行目の１列目の位置がハイライトされる。カーソルは最後の項目から最初の項目に回されない（最後の項目でカーソルを右に動かしても、装置ＵＩ上で他の項目が選択されない）。列の一番下に向けてカーソルを移動し続けても、カーソルが上に戻ることはない。イメージが設定されているか否かにかかわらず、最初に選択されるイメージは第１項目（１行目、１列目）である。画面に表示されるものは、項目の数が例えば２０を超える場合はスクロールする。
【０１１４】
図６５は「Ｅａｒｎｅｄ  Ｔｒａｃｋｓ（得られた曲）」という名の画面の画面を示している。この画面は「Ｅａｒｎｅｄ  Ｔｒａｃｋｓ（得られた曲）」画面の作用を説明する。説明に関して：このプロファイルが、確認されたメールにまだリンクされていない場合は、説明は「Ｎｏｔ  ｙｅｔ  ｌｉｎｋｅｄ  ｔｏ  ａｎ  ｅｍａｉｌ  ａｄｄｒｅｓｓ（メールアドレスにまだリンクされていません）」を表示する。メールアドレスにリンクされている場合は「Ｌｉｎｋｅｄ  ｔｏ  ｅｍａｉｌ＠ａｄｄｒｅｓｓ．ｃｏｍ（ｅｍａｉｌ＠ａｄｄｒｅｓｓ．ｃｏｍにリンク）」を表示する。得られた曲がある場合は、アルバムの曲リストのように曲が表示される。図６５に関するコメント：関連するプロファイルを持ってこの画面を見ている場合は、全ての得られた曲を見ることができる。これらの曲はいつでもダウンロード可能であり、現在有効なサブスクリプション内である必要はない。
【０１１５】
図６６ａ、６６ｂ、及び６６ｃは「Ｍｙ  Ｆｒｉｅｎｄｓ（私の友達）」という名の画面を示している。この画面は「Ｍｙ  Ｆｒｉｅｎｄｓ」のメニューの作用及び機能を説明する。図６６ａの「Ａｄｄ  Ｆｒｉｅｎｄ（友達を追加）」はメインメニューの検索フィールドのように作用する（コメントを参照）。「ハイライトサブタイトル」に関して：友達がハイライトされている場合はハイライトされるサブタイトルはキャッチフレーズになり、承諾待ちの友達要請があれば「Ｐｅｎｄｉｎｇ（承諾待ち）」になる。「友達を削除」に関して：「ｃ」キーを押すとポップアップが表示され、友達の削除を知らせる。図６６ｂの「Ａｄｄ  Ｆｒｉｅｎｄ  ｂｙ  ｎａｍｅ（名前を用いて友達を追加）」に関して：友達の要請を送信した場合は、ポップアップが表示され、送信を知らせる。図６６ａ、６６ｂ、６６ｃに関するコメント：この画面はユーザが追加した全てのミュージックステーションユーザのリストを含む。ユーザはこれらのリストされたユーザに曲を送ることができ、リストされたユーザのプロファイルを閲覧し、更なる音楽を発見できる。「Ａｄｄ  Ｆｒｉｅｎｄ（友達を追加）」がハイライトされると、ミュージックステーションのメインメニューの検索ハイライトと同じ様に作用する。ユーザは、友達のプロファイル名を用いて友達を追加できる機会が与えられる。入力されたユーザが存在する場合は、友達の要請が送信される。要請が送信された場合及び入力されたユーザ名が存在しない場合はポップアップで知らせる。友達の要請が送信されるとその友達はその要請を受信し、ユーザの友達リストにその友達が「Ｐｅｎｄｉｎｇ（承諾待ち）」とのサブタイトルと一緒に表示される。ユーザはその友達のプロファイルをチェックすることはできるが、（「受信／友達の要請」項目から「承諾」を選択することで）友達がユーザを承諾するまでは曲を送ることはできない。要請が承諾されると、サブタイトルが「Ｐｅｎｄｉｎｇ（承諾待ち）」から、友達のキャッチフレーズに変更される。友達は、例えば「Ｓｏｕｌｍａｔｅｓ（気の合う人）」などの部門において新しいユーザを発見したときでも、追加できる。友達は、「ｃ」キーを押すことで削除できる。ポップアップが表示され、友達の削除を知らせる。
【０１１６】
図６７は「Ｓｏｕｌｍａｔｅｓ（気の合う人）」という名の画面の画面を示している。この画面は「Ｓｏｕｌｍａｔｅｓ」メニューの作用及び機能を説明する。「プロファイルの設定なし」について：このモーダルポップアップは、プロファイルを設定する前に「Ｆｒｉｅｎｄｓ」そして「Ｓｏｕｌｍａｔｅｓ」を入力すると表示される。「ハイライトサブタイトル」に関して：ハイライトされるサブタイトルはキャッチフレーズである。図６７に関するコメント：「Ｓｏｕｌｍａｔｅｓ（気の合う人）」は、同じ音楽の趣向を持つミュージックステーションユーザを表すためのタームである。サーバ側のロジックを用いて、ユーザと似ている趣向を持つほかのユーザが「Ｓｏｕｌｍａｔｅ」として選択される。「Ｓｏｕｌｍａｔｅ」のプロファイルをナビゲートすると、更なる音楽を発見することができ、友達の要請を送ることでＳｏｕｌｍａｔｅを追加することができる。
【０１１７】
図６８ａ及び６８ｂは「Ｕｓｅｒ  Ｐｒｏｆｉｌｅ」というという名の画面を示している。この画面は、他のミュージックステーションユーザのプロファイルの作用と機能を説明する。図６８ａの「画面概要」に関して：現在閲覧中のミュージックステーションユーザのプロファイルは、個人的な音楽の好みに関する次のような項目を含む。
−「Ｔｏｐ  Ａｒｔｉｓｔｓ（トップアーティスト）」−このミュージックステーションユーザが聴いているトップ５アーティストをリストする。
−「Ｔｏｐ  Ａｌｂｕｍｓ（トップアルバム）」−このミュージックステーションユーザが聴いているトップ５アルバム及び発売物をリストする。
−「Ｔｏｐ  Ｔｒａｃｋｓ（トップ曲）」−このミュージックステーションユーザが聴いているトップ５曲をリストする。
−「Ｔｏｐ  Ｆｒｉｅｎｄｓ（トップの友達）」このミュージックステーションユーザと関連付けられたトップ５友達をリストする。
【０１１８】
各部門におけるトップ５項目は、部門表題の下に表示される。「友達を追加」に関して：ポップアップが表示され、友達要請の送信を知らせる。
【０１１９】
図６８ａ及び６８ｂに関するコメント：現在閲覧中のミュージックステーションユーザが、「私の歌」として曲を選択していない場合は、「私の歌」または曲は表示されない。オプションＬＳＫから友達を追加すると、ポップアップが表示され、指名された友達をユーザが追加しようとすることを知らせる。すると、友達要請がそのユーザに送信され、そのユーザは「Ｍｙ  Ｆｒｉｅｎｄｓ  ｌｉｓｔ（私の友達リスト）」に「Ｐｅｎｄｉｎｇ（承諾待ち）」というサブタイトルとともに表示される。
【０１２０】
図６９は「Ｍａｉｎ  ｍｅｎｕ  Ｄｏｗｎｌｏａｄｓ（メインメニューのダウンロード）」という名の画面を示している。この画面はミュージックステーションのメインメニューにおける「Ｄｏｗｎｌｏａｄｓ（ダウンロード）」項目の作用を説明する。「ハイライトサブタイトル」に関して：これは現在待ち行列に含まれる全てのダウンロード、又は現在ダウンロード中の曲の完了パーセントを示す。
【０１２１】
図７０ａ及び７０ｂは「Ｄｏｗｎｌｏａｄｓ（ダウンロード）」という名の画面を示している。この画面はミュージックステーションにおける「Ｄｏｗｎｌｏａｄｓ」画面の作用を説明する。図７０ａの「終了パーセント」に関して：これは曲のダウンロードの完了パーセントを示す。「選択された曲画面を持つアーティストパネル」も表示される。図７０ｂの「失敗したダウンロード」に関して：曲のダウンロードが失敗すると、図示されているようにＸが表示される。アプリケーションから出る際に、これらのファイルはエグジットロジック（Ｅｘｉｔ  Ｌｏｇｉｃ）中に再試行され、その後削除される。
【０１２２】
図７０ａ及びｂに関するコメント：ダウンロードはリストされ、１つずつダウンロードされる。ダウンロードの進行はトラック及びアーティストの名前とともに、完了したダウンロードの百分率（パーセント）として表示される。ダウンロード中の曲は取り消すことができ、ダウンロード順位の低い曲をリストの上の方（リストの最上位）に順位を変更することも可能である。Ｊ２ＭＥアプリケーションが最小化された状態でいることが許されると、「Ｄｏｗｎｌｏａｄｓ」はダウンロードをし続ける。完了したダウンロードはリストから外され、ユーザのＳＥメディアセンタのミュージックエリアに保存され、そこでユーザは音楽を再生及び管理できる。曲のダウンロードされていない残りの分に関しては、部分的なダウンロードが支持される（即ち、接続が失われても、装置が再びその曲全体をダウンロードすることはない）。「Ｏｐｔｉｏｎ（オプション）」リストの「Ｄｏｗｎｌｏａｄ  Ｎｏｗ（今すぐダウンロード）」を選択すると、選択された曲はリストの最上位に追加され、ダウンロードが開始される。ダウンロード中であった曲はリストの２位に下がり、残りの部分のダウンロードを完了させるために後で再開される。「ｃ」キー又はＬＳＫオプションメニューの「Ｃａｎｃｅｌ（取り消し）」を押すことで現在ダウンロード中の曲を停止させ、リストから削除する。
【０１２３】
図７１は「Ｍａｉｎ  Ｍｅｎｕ  Ｏｐｔｉｏｎｓ（メインメニューのオプション）」という名の画面を示している。この画面は、ミュージックステーションのメインメニューの「Ｏｐｔｉｏｎ」項目の作用を説明する。メニュー項目に関して、「Ｏｐｔｉｏｎｓ」のメニューは次のような機能を含む：
−「Ｌａｎｇｕａｇｅ（言語）」
−「Ｍｕｓｉｃ  Ｑｕａｌｉｔｙ（音質）」
−「Ｈｅｌｐ（ヘルプ）」
−「Ｍｅｍｂｅｒｓｈｉｐ  Ｓｔａｔｕｓ（メンバーシップ状況）」
−「Ｃａｎｃｅｌ  Ｓｕｂｓｃｒｉｐｔｉｏｎ（サブスクリプションをやめる）」
−「Ｔｅｒｍｓ  ＆  Ｃｏｎｄｉｔｉｏｎｓ（契約条件）」
−「Ｒｅｓｅｔ  Ａｐｐｌｉｃａｔｉｏｎ（アプリケーションをリセット）」
−「Ａｂｏｕｔ（このソフトウェアに関して）」。
【０１２４】
「Ｃａｎｃｅｌ  Ｓｕｂｓｃｒｉｐｔｉｏｎ」は、継続サブスクリプション内である場合のみ表示される。
【０１２５】
図７２は、「Ｌａｎｇｕａｇｅ  Ｏｐｔｉｏｎ（言語オプション）」という名の画面を示している。この画面は「Ｏｐｔｉｏｎｓ」の「Ｌａｎｇｕａｇｅ」メニューの作用を説明する。この機能はミュージックステーションの言語を変更する能力をユーザに与える。図７２に関するコメント：ユーザが手動に元号を設定すると、アプリケーションの立ち上げの際におこなわれる自動選択を無効にする。更なる言語パッケージをダウンロードすることをユーザにＯＴＡを介して知らせることも可能である。
【０１２６】
図７３は「Ｍｕｓｉｃ  Ｑｕａｌｉｔｙ  Ｏｐｔｉｏｎ（音質オプション）」という名の画面を示している。この画面はオプションメニューにおける音質設定の作用を説明する。図７３に関するコメント：ミュージックステーションの初期音質設定は２４ｋ  ｅＡＡＣ＋である。「Ｆａｓｔ  Ｄｏｗｎｌｏａｄｓ（高速ダウンロード）」は２４ｋｂ／ｓ  ｅＡＡＣ＋であり、「ＣＤ  Ｑｕａｌｉｔｙ（ＣＤ音質）」は４８ｋ  ＡＡＣ＋である。形式を選択すると、その形式がダウンロードの形式に選択される。この状態は、この画面を介して他の形式が選択されるまで続く。
【０１２７】
図７４は「Ｈｅｌｐ（ヘルプ）」という名の画面を示している。この画面は、「Ｏｐｔｉｏｎｓ」の「Ｈｅｌｐ」によってアクセスされる、ミュージックステーションのＷＡＰヘルプ画面の作用を説明する。図７４に関するコメント：ＷＡＰによって配達されたミュージックステーションのヘルプ。オペレータゲートウェイにおいてＷＡＰドメインをホワイトリスト（ｗｈｉｔｅｌｉｓｔ）する必要がある。
【０１２８】
図７５は「Ｔｅｒｍｓ  ＆  Ｃｏｎｄｉｔｉｏｎｓ（契約条件）」という名の画面を示している。この画面は、ＷＡＰによって配達されたＥｎｄ  Ｕｓｅｒ  Ｌｉｃｅｎｓｅ  Ａｇｒｅｅｍｅｎｔ（ＥＵＬＡ：エンドユーザー用の使用許諾契約）の作用を説明する。図７５に関するコメント：このＥＵＬＡはパソコンにも対応するものである。メールアドレスを入力することによって「Ｓｅｎｄ  ｍｅ  ｔｈｅ  ＥＵＬＡ（ＥＵＬＡを受信）」オプションが選択できる。メールアドレスが既に入力されている場合は、そのアドレスを提案する。メールアドレスが最初にここに入力されると、このメールアドレスを用いてプロファイル又は「Ｕｓｅｒ  Ｈａｎｄｌｅ」メールにすることを提案する。「Ｂａｃｋ（戻る）」を押すとブラウザから出ることができるため、ＷＡＰのトップに「Ｅｘｉｔ  ｔｈｅ  ｂｒｏｗｓｅｒ（ブラウザから出る）」というメッセージを表示する必要はない。
【０１２９】
図７６は「Ａｂｏｕｔ（このソフトウェアに関して）」という名の画面を示している。この画面は「Ａｂｏｕｔ」画面の作用を説明する。
【０１３０】
図７７は「Ｏｕｔ  ｏｆ  Ｍｅｍｏｒｙ（メモリ不足）」という名の画面を示している。この画面は、電話またはメモリカードのメモリが付属しているときにミュージックステーションがどのように作用するかを説明する。図７７に関するコメント：曲を保存するメモリがない場合、エラー画面が表示される。電話メモリエラー画面は、メモリカードがない場合にも表示される。このサービスは、使用できるメモリ領域を全て効率的に使用できるようにする。電話及びメモリカードは残り領域の確認を行うが、いくつかの電話機において起こり得るように、実際に使用できるメモリ容量より多い容量が報告されることを勘案し、「使用できる容量」は１ＭＢが引かれて表示される。
【０１３１】
図７８は「Ｆｌｉｇｈｔ  Ｍｏｄｅ（機内モード）」という名の画面を示している。この画面は、ネットワーク接続がユーザによって手動的に要請され、携帯電話は機内モードであることが所定の変数値によって決定された時の作用を説明する。
【０１３２】
図７９は「Ｇｅｎｅｒｉｃ  Ｅｘｃｅｐｔｉｏｎ  Ｈａｎｄｌｉｎｇ  Ｓｃｒｅｅｎ（一般的な例外に対応する画面）」という名の画面を示している。この画面はサーバ側で制御される防衛的な画面である。普通のネットワーク要請に対して、サーバは通常の作用を中止させ、図示されたようなサーバ側で生成された画面に戻ることができる。図７９に関するコメント：画面メッセージだけでなく、ソフトキーも動的に生成することができる。ソフトキーは：「Ｃｌｏｓｅ  ｔｈｅ  ｗｉｎｄｏｗ（ウィンドーを閉じる）」、又は「Ｃａｌｌ  ｂａｃｋ  ａｎｏｔｈｅｒ  ｓｅｒｖｅｒ  ｇｅｎｅｒａｔｅｄ  ｓｃｒｅｅｎ（サーバによって生成された異なる画面を呼び戻す）」である。
【図１】
2011525992.tif 000003
【図２】
2011525992.tif 000004
【図３】
2011525992.tif 000005
【図４】
2011525992.tif 000006
【図５】
2011525992.tif 000007
【図６】
2011525992.tif 000008
【図７】
2011525992.tif 000009
【図８】
2011525992.tif 000010
【図９】
2011525992.tif 000011
【図１０】
2011525992.tif 000012
【図１１ａ】
2011525992.tif 000013
【図１１ｂ】
2011525992.tif 000014
【図１２】
2011525992.tif 000015
【図１３】
2011525992.tif 000016
【図１４ａ】
2011525992.tif 000017
【図１４ｂ】
2011525992.tif 000018
【図１４ｃ】
2011525992.tif 000019
【図１５ａ】
2011525992.tif 000020
【図１５ｂ】
2011525992.tif 000021
【図１５ｃ】
2011525992.tif 000022
【図１６ａ】
2011525992.tif 000023
【図１６ｂ】
2011525992.tif 000024
【図１７ａ】
2011525992.tif 000025
【図１７ｂ】
2011525992.tif 000026
【図１８ａ】
2011525992.tif 000027
【図１８ｂ】
2011525992.tif 000028
【図１９】
2011525992.tif 000029
【図２０ａ】
2011525992.tif 000030
【図２０ｂ】
2011525992.tif 000031
【図２１ａ】
2011525992.tif 000032
【図２１ｂ】
2011525992.tif 000033
【図２２】
2011525992.tif 000034
【図２３ａ】
2011525992.tif 000035
【図２３ｂ】
2011525992.tif 000036
【図２４ａ】
2011525992.tif 000037
【図２４ｂ】
2011525992.tif 000038
【図２５ａ】
2011525992.tif 000039
【図２５ｂ】
2011525992.tif 000040
【図２６】
2011525992.tif 000041
【図２７ａ】
2011525992.tif 000042
【図２７ｂ】
2011525992.tif 000043
【図２８】
2011525992.tif 000044
【図２９】
2011525992.tif 000045
【図３０】
2011525992.tif 000046
【図３１】
2011525992.tif 000047
【図３２】
2011525992.tif 000048
【図３３】
2011525992.tif 000049
【図３４】
2011525992.tif 000050
【図３５】
2011525992.tif 000051
【図３６】
2011525992.tif 000052
【図３７】
2011525992.tif 000053
【図３８】
2011525992.tif 000054
【図３９】
2011525992.tif 000055
【図４０】
2011525992.tif 000056
【図４１ａ】
2011525992.tif 000057
【図４１ｂ】
2011525992.tif 000058
【図４２ａ】
2011525992.tif 000059
【図４２ｂ】
2011525992.tif 000060
【図４２ｃ】
2011525992.tif 000061
【図４３】
2011525992.tif 000062
【図４４】
2011525992.tif 000063
【図４５】
2011525992.tif 000064
【図４６ａ】
2011525992.tif 000065
【図４６ｂ】
2011525992.tif 000066
【図４７】
2011525992.tif 000067
【図４８】
2011525992.tif 000068
【図４９】
2011525992.tif 000069
【図５０】
2011525992.tif 000070
【図５１】
2011525992.tif 000071
【図５２】
2011525992.tif 000072
【図５３ａ】
2011525992.tif 000073
【図５３ｂ】
2011525992.tif 000074
【図５４】
2011525992.tif 000075
【図５５】
2011525992.tif 000076
【図５６】
2011525992.tif 000077
【図５７】
2011525992.tif 000078
【図５８】
2011525992.tif 000079
【図５９】
2011525992.tif 000080
【図６０】
2011525992.tif 000081
【図６１】
2011525992.tif 000082
【図６２】
2011525992.tif 000083
【図６３】
2011525992.tif 000084
【図６４】
2011525992.tif 000085
【図６５】
2011525992.tif 000086
【図６６ａ】
2011525992.tif 000087
【図６６ｂ】
2011525992.tif 000088
【図６６ｃ】
2011525992.tif 000089
【図６７】
2011525992.tif 000090
【図６８ａ】
2011525992.tif 000091
【図６８ｂ】
2011525992.tif 000092
【図６９】
2011525992.tif 000093
【図７０ａ】
2011525992.tif 000094
【図７０ｂ】
2011525992.tif 000095
【図７１】
2011525992.tif 000096
【図７２】
2011525992.tif 000097
【図７３】
2011525992.tif 000098
【図７４】
2011525992.tif 000099
【図７５】
2011525992.tif 000100
【図７６】
2011525992.tif 000101
【図７７】
2011525992.tif 000102
【図７８】
2011525992.tif 000103
【図７９】
2011525992.tif 000104
【国際調査報告】
2011525992.tif 000105
2011525992.tif 000106
2011525992.tif 000107